(57)【特許請求の範囲】
【請求項１】
通信チャネルを介した伝送のために物理層データユニット（ＰＨＹデータユニット）を生成するための方法であって、
第１信号フィールドコンテンツの複数のコピーを含むように第１信号フィールドを生成する段階であって、前記第１信号フィールドコンテンツは前記ＰＨＹデータユニットの複数のサブバンドのうちの１つのサブバンドに広がり、前記第１信号フィールドコンテンツの前記複数のコピーは前記ＰＨＹデータユニットの前記複数のサブバンドに集合的に広がる、段階と、
第２信号フィールドコンテンツの１または複数のコピーを含むように第２信号フィールドを生成する段階であって、前記第２信号フィールドコンテンツは前記ＰＨＹデータユニットの前記複数のサブバンドのうちの１または複数のサブバンドに広がり、前記第２信号フィールドコンテンツの前記１または複数のコピーは前記ＰＨＹデータユニットの前記複数のサブバンドに集合的に広がる、段階と、
少なくとも前記第１信号フィールド及び前記第２信号フィールドを含むように前記ＰＨＹデータユニットのプリアンブルを生成する段階と、
少なくとも前記プリアンブルを含むように前記ＰＨＹデータユニットを生成する段階と
を備え、
前記第２信号フィールドを生成する段階は、情報ビットのセットを含むように前記第２信号フィールドコンテンツを生成する段階を有し、
前記情報ビットのセットは、（ｉ）複数の通信デバイスに共通する情報を有する共通ブロックの情報ビット及び（ｉｉ）前記複数の通信デバイスのうち、それぞれの通信デバイスに関する情報をそれぞれが有する複数のユーザブロックの情報ビットを含む
方法。
【請求項２】
前記第２信号フィールドコンテンツは前記ＰＨＹデータユニットの２つのサブバンドに広がる、請求項１に記載の方法。
【請求項３】
前記第１信号フィールド及び前記第２信号フィールドを含むように前記プリアンブルを生成する段階は、前記第１信号フィールドの直後に前記第２信号フィールドが伝送されるように前記プリアンブルを生成する段階を有する、請求項１又は２に記載の方法。
【請求項４】
前記ＰＨＹデータユニットに含まれる１又は複数のトレーニングフィールドを生成する段階をさらに備え、前記プリアンブルを生成する段階は、前記１又は複数のトレーニングフィールドをさらに含むように前記プリアンブルを生成する段階であって、前記１又は複数のトレーニングフィールドの前に前記第１信号フィールド及び前記第２信号フィールドが伝送されるように前記プリアンブルを生成する段階を含む、段階を有する、請求項１から３のいずれか一項に記載の方法。
【請求項５】
前記ＰＨＹデータユニットを前記複数の通信デバイスに伝送させる段階をさらに備える、請求項１から４のいずれか一項に記載の方法。
【請求項６】
前記第２信号フィールドを生成する段階の後、かつ、前記ＰＨＹデータユニットを前記複数の通信デバイスに伝送させる段階の前に、前記第２信号フィールドコンテンツのパンクチャリングされる部分が前記複数の通信デバイスに伝送されないように、前記第２信号フィールドコンテンツの前記１または複数のコピーのうち少なくとも１つの少なくとも一部分をパンクチャリングする段階をさらに備える、請求項５に記載の方法。
【請求項７】
前記ＰＨＹデータユニットを生成する段階は、前記ＰＨＹデータユニットのデータ部分のそれぞれの周波数部分を用いて、前記複数の通信デバイスに伝送されるデータを含む直交周波数分割多重多元接続（ＯＦＤＭＡ）データユニットを生成する段階を有する
請求項１から６のいずれか一項に記載の方法。
【請求項８】
１又は複数のバイナリ畳み込み符号（ＢＣＣ）エンコーダを用いて前記情報ビットのセットをエンコードする段階であって、第１ＢＣＣブロックとして前記共通ブロックの情報ビットをエンコードする段階を含む、段階と、
それぞれの第２ＢＣＣブロックとしてユーザブロックのそれぞれのグループの情報ビットをエンコードする段階であって、ユーザブロックの各グループは、前記複数のユーザブロック内の１つのユーザブロックより多く、かつ、前記複数のユーザブロック内の全てのユーザブロックより少ない数のユーザブロックを含む、段階と
をさらに備える、請求項７に記載の方法。
【請求項９】
ユーザブロックのそれぞれのグループをエンコードする段階は、ユーザブロックの最後のグループをエンコードする段階を含み、前記ユーザブロックの最後のグループは前のいずれのユーザブロックのグループより少ない数のユーザブロックを含む、請求項８に記載の方法。
【請求項１０】
前記情報ビット及びパディングビットが、前記１又は複数のＢＣＣエンコーダによりエンコードされた後に整数個のＯＦＤＭシンボルを埋めるように、前記情報ビットのセットに付加される前記パディングビットの数を決定する段階と、
前記情報ビットのセットをエンコードする段階の前に、前記決定された数のパディングビットを前記情報ビットのセットに付加する段階と、
をさらに備える、請求項８又は９に記載の方法。
【請求項１１】
１又は複数の集積回路を有するネットワークインタフェースデバイスを備え、
前記１又は複数の集積回路は、
第１信号フィールドコンテンツの複数のコピーを含むように第１信号フィールドを生成し、
第２信号フィールドコンテンツの１または複数のコピーを含むように第２信号フィールドを生成し、
少なくとも前記第１信号フィールド及び前記第２信号フィールドを含むように物理層データユニット（ＰＨＹデータユニット）のプリアンブルを生成し、及び
少なくとも前記プリアンブルを含むように前記ＰＨＹデータユニットを生成し、
前記第１信号フィールドコンテンツは前記ＰＨＹデータユニットの複数のサブバンドのうちの１つのサブバンドに広がり、前記第１信号フィールドコンテンツの前記複数のコピーは前記ＰＨＹデータユニットの前記複数のサブバンドに集合的に広がり、
前記第２信号フィールドコンテンツは前記ＰＨＹデータユニットの前記複数のサブバンドのうちの１または複数のサブバンドに広がり、前記第２信号フィールドコンテンツの前記１または複数のコピーは前記ＰＨＹデータユニットの前記複数のサブバンドに集合的に広がり、
前記第２信号フィールドを生成することは、情報ビットのセットを含むように前記第２信号フィールドコンテンツを生成することを含み、
前記情報ビットのセットは、（ｉ）複数の通信デバイスに共通する情報を有する共通ブロックの情報ビット及び（ｉｉ）前記複数の通信デバイスのうち、それぞれの通信デバイスに関する情報をそれぞれが有する複数のユーザブロックの情報ビットを含む
装置。
【請求項１２】
前記第２信号フィールドコンテンツは、前記ＰＨＹデータユニットの２つのサブバンドに広がる、請求項１１に記載の装置。
【請求項１３】
前記１又は複数の集積回路は、前記第１信号フィールドの直後に前記第２信号フィールドが伝送されるように前記プリアンブルを生成する、請求項１１又は１２に記載の装置。
【請求項１４】
前記１又は複数の集積回路は、さらに、
前記ＰＨＹデータユニットに含まれる１又は複数のトレーニングフィールドを生成し、前記１又は複数のトレーニングフィールドをさらに含むように前記プリアンブルを生成し、前記プリアンブルは、前記１又は複数のトレーニングフィールドの前に前記第１信号フィールド及び前記第２信号フィールドが伝送されるように生成される、請求項１１から１３のいずれか一項に記載の装置。
【請求項１５】
前記１又は複数の集積回路は、さらに、前記ＰＨＹデータユニットを前記複数の通信デバイスに伝送させる、請求項１１から１４のいずれか一項に記載の装置。
【請求項１６】
前記１又は複数の集積回路は、さらに、前記第２信号フィールドを生成した後、かつ、前記ＰＨＹデータユニットを前記複数の通信デバイスに伝送させる前に、前記第２信号フィールドコンテンツのパンクチャリングされる部分が前記複数の通信デバイスに伝送されないように、前記第２信号フィールドコンテンツの前記１または複数のコピーのうちの少なくとも１つの少なくとも一部分をパンクチャリングする、請求項１５に記載の装置。
【請求項１７】
前記ＰＨＹデータユニットは、前記ＰＨＹデータユニットのデータ部分内のそれぞれのリソースユニットを用いて、前記複数の通信デバイスに伝送されるデータを含む直交周波数分割多重多元接続（ＯＦＤＭＡ）データユニットである
請求項１１から１６のいずれか一項に記載の装置。
【請求項１８】
前記１又は複数の集積回路は、さらに、
前記情報ビットのセットをエンコードし、
前記エンコードすることは、
第１ＢＣＣブロックとして前記共通ブロックの情報ビットをエンコードすることと、
それぞれの第２ＢＣＣブロックとしてユーザブロックのそれぞれのグループの情報ビットをエンコードすることと
を含み、
ユーザブロックの各グループは、前記複数のユーザブロック内の１つのユーザブロックより多く、かつ、前記複数のユーザブロック内の全てのユーザブロックより少ない数のユーザブロックを含む、請求項１７に記載の装置。
【請求項１９】
前記１又は複数の集積回路は、ユーザブロックの最後のグループをエンコードし、前記ユーザブロックの最後のグループは、前のいずれのユーザブロックのグループより少ない数のユーザブロックを含む、請求項１８に記載の装置。
【請求項２０】
前記１又は複数の集積回路は、さらに、
前記情報ビット及びパディングビットが、前記１又は複数のＢＣＣエンコーダによりエンコードされた後に整数個のＯＦＤＭシンボルを埋めるように、前記情報ビットのセットに付加されるパディングビットの数を決定し、
前記情報ビットのセットをエンコードする前に、前記決定された数のパディングビットを前記情報ビットのセットに付加する、請求項１８又は１９に記載の装置。
【発明の詳細な説明】
【技術分野】
【０００１】
［関連出願の相互参照］
本開示は、以下の米国仮特許出願の利益を主張する。
２０１５年１月８日に出願された、「高効率ＷｉＦｉ（登録商標）のダウンリンクシグナリング」と題される米国仮特許出願第６２／１０１，１００号、
２０１５年４月１６日に出願された、「高効率ＷｉＦｉ（登録商標）のダウンリンクシグナリング」と題される米国仮特許出願第６２／１４８，６６６号、
２０１５年６月２５日に出願された、「高効率ＷｉＦｉ（登録商標）のダウンリンクシグナリング」と題される米国仮特許出願第６２／１８４，４２０号、
２０１５年７月１３日に出願された、「高効率ＷｉＦｉ（登録商標）のダウンリンクシグナリング」と題される米国仮特許出願第６２／１９１，６６３号、
２０１５年７月３０日に出願された、「高効率ＷｉＦｉ（登録商標）のダウンリンクシグナリング」と題される米国仮特許出願第６２／１９９，０６０号、及び
２０１５年９月２３日に出願された、「高効率ＷｉＦｉ（登録商標）のダウンリンクシグナリング」と題される米国仮特許出願第６２／２２２，５０９号。
【０００２】
上記の特許出願の全ての開示がそれら全体において本明細書に参照としてここに組み込まれる。
【０００３】
［開示の分野］
本開示は概して通信ネットワーク、より具体的には、直交周波数分割多重（ＯＦＤＭ）を利用する無線ローカルエリアネットワークに関する。
【背景技術】
【０００４】
インフラストラクチャモードで動作するとき、無線ローカルエリアネットワーク（ＷＬＡＮ）はアクセスポイント（ＡＰ）及び１又は複数のクライアント局を通常含む。ＷＬＡＮは、過去１０年間で急速に進化してきた。米国電気電子技術者協会（ＩＥＥＥ）８０２．１１ａ、８０２．１１ｂ、８０２．１１ｇ、８０２．１１ｎ、及び８０２．１１ａｃ規格のようなＷＬＡＮ規格の開発がシングルユーザピークデータスループットを向上させてきた。例えば、ＩＥＥＥ８０２．１１ｂ規格は１１メガビット毎秒（Ｍｂｐｓ）のシングルユーザピークスループットを規定し、ＩＥＥＥ８０２．１１ａ及び８０２．１１ｇ規格は５４Ｍｂｐｓのシングルユーザピークスループットを規定し、ＩＥＥＥ８０２．１１ｎ規格は６００Ｍｂｐｓのシングルユーザピークスループットを規定し、ＩＥＥＥ８０２．１１ａｃ規格はギガビット毎秒（Ｇｂｐｓ）範囲のシングルユーザピークスループットを規定する。将来の規格は、数十Ｇｂｐｓ範囲のスループットのような、さらに大きなスループットを提供することが見込まれている。
【発明の概要】
【０００５】
実施形態において、通信チャネルを介した伝送のために物理層（ＰＨＹ）データユニットを生成するための方法は、第１信号フィールドコンテンツの複数のコピーを含むように第１信号フィールドを生成する段階を含み、第１信号フィールドコンテンツはＰＨＹデータユニットの複数のサブバンドのうちの１つのサブバンドに広がり（ｓｐａｎ）、複数のコピーはＰＨＹデータユニットの複数のサブバンドに集合的に広がる。方法は、第２信号フィールドコンテンツの複数のコピーを含むように第２信号フィールドを生成する段階も含み、第２信号フィールドコンテンツはＰＨＹデータユニットの複数のサブバンドのうちの複数のものに広がり、第２信号フィールドの複数のコピーはＰＨＹデータユニットの複数のサブバンドに集合的に広がる。方法は、少なくとも第１信号フィールド及び第２信号フィールドを含むようにＰＨＹデータユニットのプリアンブルを生成する段階と、少なくともプリアンブルを含むようにＰＨＹデータユニットを生成する段階とをさらに含む。
【０００６】
別の実施形態において、装置は、１又は複数の集積回路を有するネットワークインタフェースデバイスを備え、１又は複数の集積回路は、第１信号フィールドコンテンツの複数のコピーを含むように第１信号フィールドを生成するように構成され、第１信号フィールドコンテンツはＰＨＹデータユニットの複数のサブバンドのうちの１つのサブバンドに広がり、複数のコピーはＰＨＹデータユニットの複数のサブバンドに集合的に広がる。１又は複数の集積回路はまた、第２信号フィールドコンテンツの複数のコピーを含むように第２信号フィールドを生成するように構成され、第２信号フィールドコンテンツはＰＨＹデータユニットの複数のサブバンドのうちの複数のものに広がり、第２信号フィールドの複数のコピーはＰＨＹデータユニットの複数のサブバンドに集合的に広がる。１又は複数の集積回路は、少なくとも第１信号フィールド及び第２信号フィールドを含むようにＰＨＹデータユニットのプリアンブルを生成し、少なくともプリアンブルを含むようにＰＨＹデータユニットを生成するようにさらに構成される。
【図面の簡単な説明】
【０００７】
【図１】実施形態に係る例示的な無線ローカルエリアネットワーク（ＷＬＡＮ）のブロック図である。
【０００８】
【図２】様々な実施形態に係る物理層（ＰＨＹ）データユニットの図である。
【図３】様々な実施形態に係る物理層（ＰＨＹ）データユニットの図である。
【図４】様々な実施形態に係る物理層（ＰＨＹ）データユニットの図である。
【図５】様々な実施形態に係る物理層（ＰＨＹ）データユニットの図である。
【図６】様々な実施形態に係る物理層（ＰＨＹ）データユニットの図である。
【図７】様々な実施形態に係る物理層（ＰＨＹ）データユニットの図である。
【図８】様々な実施形態に係る物理層（ＰＨＹ）データユニットの図である。
【図９】様々な実施形態に係る物理層（ＰＨＹ）データユニットの図である。
【図１０】様々な実施形態に係る物理層（ＰＨＹ）データユニットの図である。
【０００９】
【図１１Ａ】いくつかの実施形態に係る例示的なパンクチャリングされた信号フィールド構成のブロック図である。
【図１１Ｂ】いくつかの実施形態に係る例示的なパンクチャリングされた信号フィールド構成のブロック図である。
【図１１Ｃ】いくつかの実施形態に係る例示的なパンクチャリングされた信号フィールド構成のブロック図である。
【図１１Ｄ】いくつかの実施形態に係る例示的なパンクチャリングされた信号フィールド構成のブロック図である。
【図１１Ｅ】いくつかの実施形態に係る例示的なパンクチャリングされた信号フィールド構成のブロック図である。
【図１１Ｆ】いくつかの実施形態に係る例示的なパンクチャリングされた信号フィールド構成のブロック図である。
【００１０】
【図１２】実施形態に係る信号フィールドのブロック図である。
【００１１】
【図１３Ａ】実施形態に係る信号フィールドのブロック図である。
【００１２】
【図１３Ｂ】実施形態に係る図１３Ａの信号フィールドの割当毎部分についてのブロック図である。
【００１３】
【図１４】実施形態に係る信号フィールドに含まれる共通ブロックのブロック図である。
【００１４】
【図１５】実施形態に係る通信チャネル用の許容リソースユニット割当の図である。
【００１５】
【図１６Ａ】実施形態に係るマルチユーザ多入力多出力（ＭＵ‐ＭＩＭＯ）リソースユニットに対応するユーザブロックのブロック図である。
【図１６Ｂ】実施形態に係るシングルユーザ（ＳＵ）リソースユニットに対応するユーザブロックのブロック図である。
【００１６】
【図１６Ｃ】別の実施形態に係る、ＭＵ−ＭＩＭＯリソースユニットに対応するユーザブロックのブロック図である。
【図１６Ｄ】別の実施形態に係るＳＵリソースユニットに対応するユーザブロックのブロック図である。
【００１７】
【図１７Ａ】実施形態に係る可能な空間ストリーム割当の組み合わせを示す。
【００１８】
【図１７Ｂ】実施形態に係る信号フィールドのサブフィールドのビットの値と空間ストリーム割当の組み合わせとの間の対応を列挙するテーブルを示す。
【００１９】
【図１７Ｃ】別の実施形態に係る可能な空間ストリーム割当の組み合わせを示す。
【００２０】
【図１８Ａ】いくつかの実施形態に係る信号フィールドの部分に対して異なるエンコードスキームを示す図である。
【図１８Ｂ】いくつかの実施形態に係る信号フィールドの部分に対して異なるエンコードスキームを示す図である。
【図１８Ｃ】いくつかの実施形態に係る信号フィールドの部分に対して異なるエンコードスキームを示す図である。
【００２１】
【図１９】実施形態に係る１又は複数のパディングビットを含む信号フィールドのブロック図である。
【００２２】
【図２０】様々な実施形態に係る信号フィールドを生成するように構成される例示的なＰＨＹ処理ユニットの部分を伝送することについてのブロック図である。
【図２１】様々な実施形態に係る信号フィールドを生成するように構成される例示的なＰＨＹ処理ユニットの部分を伝送することについてのブロック図である。
【図２２】様々な実施形態に係る信号フィールドを生成するように構成される例示的なＰＨＹ処理ユニットの部分を伝送することについてのブロック図である。
【図２３】様々な実施形態に係る信号フィールドを生成するように構成される例示的なＰＨＹ処理ユニットの部分を伝送することについてのブロック図である。
【図２４】様々な実施形態に係る信号フィールドを生成するように構成される例示的なＰＨＹ処理ユニットの部分を伝送することについてのブロック図である。
【図２５】様々な実施形態に係る信号フィールドを生成するように構成される例示的なＰＨＹ処理ユニットの部分を伝送することについてのブロック図である。
【図２６】様々な実施形態に係る信号フィールドを生成するように構成される例示的なＰＨＹ処理ユニットの部分を伝送することについてのブロック図である。
【図２７】様々な実施形態に係る信号フィールドを生成するように構成される例示的なＰＨＹ処理ユニットの部分を伝送することについてのブロック図である。
【図２８】様々な実施形態に係る信号フィールドを生成するように構成される例示的なＰＨＹ処理ユニットの部分を伝送することについてのブロック図である。
【００２３】
【図２９Ａ】実施形態に係る信号フィールドのブロック図である。
【図２９Ｂ】実施形態に係る信号フィールドのブロック図である。
【００２４】
【図３０】実施形態に係るデータユニットを生成するための方法のフロー図である。
【発明を実施するための形態】
【００２５】
以下に説明される実施形態において、無線ローカルエリアネットワーク（ＷＬＡＮ）のアクセスポイント（ＡＰ）のような無線ネットワークデバイスは、データストリームを１又は複数のクライアント局に伝送する。ＡＰは、少なくとも第１通信プロトコルに従ってクライアント局とともに動作するように構成される。第１通信プロトコルは、本明細書において「高効率ＷｉＦｉ（登録商標）」、「ＨＥＷ」通信プロトコル、「ＨＥ」通信プロトコル、又はＩＥＥＥ８０２．１１ａｘ通信プロトコルと称されることがある。実施形態において、第１通信プロトコルは、ＡＰから１又は複数のクライアント局へのダウンリンク方向及び１又は複数のクライアント局からＡＰへのアップリンク方向の両方で直交周波数分割（ＯＦＤＭ）通信をサポートする。実施形態において、第１通信プロトコルは、シングルユーザ（ＳＵ）モードをサポートし、ＡＰは、ＳＵモードにおいて、いつでも１つのクライアント局にデータユニットを伝送する、又は、１つのクライアント局からデータユニットを受信する。いくつかの実施形態において、第１通信プロトコルはまた、１又は複数のマルチユーザ（ＭＵ）モードをサポートし、ＡＰは、ＭＵモードにおいて、複数のクライアント局に複数の独立したデータストリームを同時に伝送する、又は、複数のクライアント局により同時に伝送された独立したデータユニットを受信する。様々な実施形態において、複数のクライアント局へのマルチユーザ伝送又は複数のクライアント局によるマルチユーザ伝送は、複数のクライアント局のうちそれぞれのもの（ｒｅｓｐｅｃｔｉｖｅ  ｏｎｅｓ）への伝送、又は、複数のクライアント局のうちそれぞれのものによる伝送にそれぞれの空間ストリームが用いられるＭＵ多入力多出力（ＭＵ‐ＭＩＭＯ）伝送を用いて、及び／又は、複数のクライアント局のうちそれぞれのものへの同時伝送、又は、複数のクライアント局のそれぞれのものによる同時伝送に通信チャネルのそれぞれの周波数サブチャネルが用いられる直交周波数分割多元接続（ＯＦＤＭＡ）伝送を用いて実行される。
【００２６】
様々な実施形態において、ＡＰから１又は複数のクライアント局２５へのダウンリンク方向に伝送されるデータユニット（「ＤＬデータユニット」）、又はクライアント局からＡＰへのアップリンク方向に伝送されるデータユニット（「ＵＬデータユニット」）は、データユニットを適切に受信及びデコードするために受信デバイスにおいて必要とされるフォーマッティング及び／又は制御情報を含む１又は複数の信号フィールドを含む。様々な実施形態において、フォーマッティング及び／又は制御情報は、複数の信号フィールドの間で分散されており、複数の信号フィールドは、伝送デバイス（例えば、ＡＰ）から１又は複数の受信デバイス（例えば、１又は複数のクライアント局）へのフォーマッティング及び／又は制御情報の効率的な伝送のために、データユニットに含まれる。少なくともいくつかの実施形態において、複数の信号フィールドの間のフォーマッティング及び／又は制御情報の効率的な分散、及び複数の信号フィールドのそれぞれの特定のコンテンツは、受信デバイスがデータユニットを効率的に受信及び処理でき、及び／又は（例えば、受信デバイスがデータユニットの意図された受け手でない場合）データユニットを迅速に破棄できるようにする。
【００２７】
図１は、実施形態に係る例示的な無線ローカルエリアネットワーク（ＷＬＡＮ）１０のブロック図である。ＷＬＡＮ１０は、アクセスポイント（ＡＰ）と複数のクライアント局との間のダウンリンク（ＤＬ）及びアップリンク（ＵＬ）マルチユーザ（ＭＵ）多入力多出力（ＭＩＭＯ）通信をサポートする。さらに、ＷＬＡＮ１０は、ＡＰと、複数のクライアント局のそれぞれとの間のＤＬ及びＵＬシングルユーザ（ＳＵ）通信をサポートする。ＷＬＡＮ１０はＡＰ１４を含み、さらに、ＡＰ１４は、ネットワークインタフェースデバイス１６に結合されるホストプロセッサ１５を含む。ネットワークインタフェースデバイス１６は、媒体アクセス制御（ＭＡＣ）処理ユニット１８及び物理層（ＰＨＹ）処理ユニット２０を含む。ＰＨＹ処理ユニット２０は複数のトランシーバ２１を含み、トランシーバ２１は複数のアンテナ２４に結合される。３つのトランシーバ２１及び３つのアンテナ２４が図１に示されているが、ＡＰ１４は、他の実施形態において、他の好適な数（例えば、１、２、４、５等）のトランシーバ２１及びアンテナ２４を含む。実施形態において、ネットワークインタフェースデバイス１６は、１又は複数の集積回路（ＩＣ）デバイスを含む。実施形態によれば、例えば、ＭＡＣ処理ユニット１８の機能の少なくともいくつか及びＰＨＹ処理ユニット２０の機能の少なくともいくつかは、単一のＩＣデバイス上に実装される。実施形態によれば、別の例として、ＭＡＣ処理ユニット１８の機能の少なくともいくつかは第１ＩＣデバイス上に実装され、ＰＨＹ処理ユニット２０の機能の少なくともいくつかは第２ＩＣデバイス上に実装される。
【００２８】
ＷＬＡＮ１０は複数のクライアント局２５を含む。４つのクライアント局２５が図１に示されているが、ＷＬＡＮ１０は、様々なシナリオ及び実施形態において、他の好適な数（例えば、１、２、３、５、６等）のクライアント局２５を含む。クライアント局２５のうちの少なくとも１つ（例えば、クライアント局２５−１）は少なくとも第１通信プロトコルに従って動作するように構成される。いくつかの実施形態において、クライアント局２５のうちの少なくとも１つは第１通信プロトコルに従って動作するように構成されていないが、レガシ通信プロトコルに従って動作するように構成される（本明細書において「レガシクライアント局」と称される）。
【００２９】
クライアント局２５−１は、ネットワークインタフェースデバイス２７に結合されるホストプロセッサ２６を含む。ネットワークインタフェースデバイス２７はＭＡＣ処理ユニット２８及びＰＨＹ処理ユニット２９を含む。ＰＨＹ処理ユニット２９は複数のトランシーバ３０を含み、トランシーバ３０は複数のアンテナ３４に結合される。３つのトランシーバ３０及び３つのアンテナ３４が図１に示されているが、他の実施形態において、クライアント局２５−１は、他の好適な数（例えば、１、２、４、５等）のトランシーバ３０及びアンテナ３４を含む。クライアント局２５−１は、ネットワークインタフェース２７に結合されるホストプロセッサ２６を含む。ネットワークインタフェースデバイス２７はＭＡＣ処理ユニット２８及びＰＨＹ処理ユニット２９を含む。ＰＨＹ処理ユニット２９は複数のトランシーバ３０を含み、トランシーバ３０は複数のアンテナ３４に結合される。３つのトランシーバ３０及び３つのアンテナ３４が図１に示されているが、他の実施形態において、クライアント局２５−１は、異なる数（例えば、１、２、４、５等）のトランシーバ３０及びアンテナ３４を含む。実施形態において、ネットワークインタフェースデバイス２７は１又は複数のＩＣデバイスを含む。実施形態によれば、例えば、ＭＡＣ処理ユニット２８の機能の少なくともいくつか及びＰＨＹ処理ユニット２９の機能の少なくともいくつかは、単一のＩＣデバイス上に実装される。実施形態によれば、別の例として、ＭＡＣ処理ユニット２８の機能の少なくともいくつかは第１ＩＣデバイス上に実装され、ＰＨＹ処理ユニット２９の機能の少なくともいくつかは第２ＩＣデバイス上に実装される。
【００３０】
実施形態によれば、クライアント局２５−４はレガシクライアント局である、すなわち、クライアント局２５−４は、第１通信プロトコルに従ってＡＰ１４又は別のクライアント局２５により伝送されるデータユニットを受信及び完全にデコードできない。同様に、実施形態によれば、レガシクライアント局２５−４は第１通信プロトコルに従ってデータユニットを伝送できない。一方、レガシクライアント局２５−４は、レガシ通信プロトコルに従ってデータユニットを受信及び完全にデコード、並びに伝送できる。
【００３１】
実施形態において、クライアント局２５−２及び２５−３のうちの一方又は両方はクライアント局２５−１と同一又は類似の構造を有する。実施形態において、クライアント局２５−４はクライアント局２５−１と類似の構造を有する。これらの実施形態において、クライアント局２５−１と同一又は同様に構成されたクライアント局２５は、同一又は異なる数のトランシーバ及びアンテナを有する。実施形態によれば、例えば、クライアント局２５−２は２つのトランシーバ及び２つのアンテナ（図示せず）のみを有する。
【００３２】
様々な実施形態において、ＡＰ１４のＰＨＹ処理ユニット２０は、第１通信プロトコルに準拠し、かつ、本明細書に説明されるフォーマットを有するデータユニットを生成するように構成される。トランシーバ２１は、アンテナ２４を介して、生成されたデータユニットを伝送するように構成される。同様に、トランシーバ２１は、アンテナ２４を介してデータユニットを受信するように構成される。様々な実施形態によれば、ＡＰ１４のＰＨＹ処理ユニット２０は、第１通信プロトコルに準拠し、かつ、本明細書で説明されるフォーマットを有する受信したデータユニットを処理し、そのようなデータユニットが第１通信プロトコルに準拠することを決定するように構成される。
【００３３】
様々な実施形態において、クライアントデバイス２５−１のＰＨＹ処理ユニット２９は、第１通信プロトコルに準拠し、かつ、本明細書で説明されるフォーマットを有するデータユニットを生成するように構成される。トランシーバ３０は、アンテナ３４を介して、生成されたデータユニットを伝送するように構成される。同様に、トランシーバ３０は、アンテナ３４を介してデータユニットを受信するように構成される。様々な実施形態によれば、クライアントデバイス２５−１のＰＨＹ処理ユニット２９は、第１通信プロトコルに準拠し、かつ、以下で説明されるフォーマットを有する受信したデータユニットを処理し、そのようなデータユニットが第１通信プロトコルに準拠することを決定するように構成される。
【００３４】
実施形態において、シングルユーザモードで動作するとき、ＡＰ１４は、任意の他のクライアント局２５への又は任意の他のクライアント局２５による同時伝送なしで、データユニットを単一のクライアント局２５に伝送（ＤＬ  ＳＵ伝送）し、又は、単一のクライアント局２５により伝送されたデータユニットを受信（ＵＬ  ＳＵ伝送）する。実施形態において、マルチユーザモードで動作するとき、ＡＰ１４は、複数のクライアント局２５のための複数のデータストリームを含むデータユニットを伝送（ＤＬ  ＭＵ伝送）し、又は、複数のクライアント局２５により同時に伝送されたデータユニットを受信（ＵＬ  ＭＵ伝送）する。例えば、マルチユーザモードにおいて、ＡＰにより伝送されるデータユニットは、それぞれのクライアント局２５への同時伝送のために割り当てられたそれぞれの空間ストリームを用いて、及び／又は、それぞれのクライアント局への同時伝送のために割り当てられたそれぞれの周波数サブチャネルに対応するそれぞれのＯＦＤＭトーンのセットを用いて、ＡＰ１４によりそれぞれのクライアント局２５へ同時に伝送される複数のデータストリームを含む。
【００３５】
図２は、実施形態に係る、ＡＰ１４が１又は複数のクライアント局２５（例えば、クライアント局２５−１）へ伝送するように構成される物理層（ＰＨＹ）データユニット２００の図である。データユニット２００は、ＨＥ通信プロトコルに準拠し、８０ＭＨｚ帯域幅を占有する。他の実施形態において、データユニット２００に類似するデータユニットは、例えば、２０ＭＨｚ、４０ＭＨｚ、１６０ＭＨｚ、３２０ＭＨｚ、６４０ＭＨｚのような他の好適な帯域幅、又は他の好適な帯域幅を占有する。データユニット２００は、「混合モード」の状況、すなわち、第１通信プロトコルではなくレガシ通信プロトコルに準拠するクライアント局（例えば、レガシクライアント局２４−４）をＷＬＡＮ１０が含むときに好適である。いくつかの実施形態において、データユニット２００は他の状況でも利用される。
【００３６】
様々な実施形態及び／又はシナリオにおいて、データユニット２００は、複数のクライアント局２５に割り当てられるそれぞれのＯＦＤＭトーンのセット、及びいくつかの場合ではそれぞれの空間ストリームを用いて独立したデータストリームが複数のクライアント局２５に伝送されるダウンリンク（ＤＬ）直交周波数分割多元接続（ＯＦＤＭＡ）ユニットである。同様に、様々な実施形態及び／又はシナリオにおいて、データユニット２００は、複数のクライアント局２５によるＯＦＤＭＡアップリンク伝送の一部として特定のクライアント局２５により伝送されるアップリンク（ＵＬ）ＯＦＤＭＡデータユニットであり、複数のクライアント局２５のそれぞれは、クライアント局２５に割り当てられるＯＦＤＭトーンのセット及びいくつかの場合では、それぞれの１又は複数の空間ストリームを用いてデータを伝送する。例えば、実施形態において、利用可能なＯＦＤＭトーン（例えば、ＤＣトーン及び／又はガードトーンとして用いられていないＯＦＤＭトーン）は、複数のリソースユニット（ＲＵ）に分割され、複数のＲＵのそれぞれは、クライアント局２５の１又は複数への、又は、クライアント局２５の１又は複数によるデータの伝送のために１又は複数のクライアント局２５に割り当てられる。実施形態において、ＯＦＤＭトーンの割当は、第１通信プロトコルにより規定される基本リソースユニットブロックを用いて実行される。基本リソースユニットブロックは、本明細書において単に「基本リソースユニット」と称されることがある。例えば、基本リソースユニットはＫ個のＯＦＤＭトーンを含み、Ｋはゼロより大きい整数であり、各割当リソースユニットは１又は複数のＫ‐ＯＦＤＭトーン基本リソースユニットから成る。実施形態では、単なる例として、Ｋ＝２６である。従って、この実施形態において、基本リソースユニットは２６ＯＦＤＭトーンを含む。この実施形態において、クライアント局２５に割り当てられ、又はクライアント局２５のマルチユーザグループに割り当てられるリソースユニットは、２６ＯＦＤＭトーン、５２ＯＦＤＭトーン、７８ＯＦＤＭトーン等のような２６ＯＦＤＭトーンの整数倍である数のＯＦＤＭトーンを含む。別の実施形態において、Ｋは２６以外の任意の好適な整数であり、基本リソースユニットは２６以外の対応する数のＯＦＤＭトーンを含む。
【００３７】
データユニット２００は、レガシショートトレーニングフィールド（Ｌ‐ＳＴＦ）２０２、レガシロングトレーニングフィールド（Ｌ‐ＬＴＦ）２０４、レガシ信号フィールド（Ｌ‐ＳＩＧ）２０６、複製されたレガシ信号フィールド（ＲＬ‐ＳＩＧ）２０８、第１ＨＥ信号フィールド（ＨＥ‐ＳＩＧ‐Ａ）２１０、第２ＨＥ信号フィールド（ＨＥ‐ＳＩＧ‐Ｂ）２１２、ＨＥショートトレーニングフィールド（ＨＥ‐ＳＴＦ）２１４、及び１又は複数のＨＥロングトレーニングフィールド（ＨＥ‐ＬＴＦ）２１６を含むプリアンブルを含む。いくつかの実施形態及び／又はシナリオにおいて、データユニット２００はデータ部分２１８も含む。いくつかの実施形態及び／又はシナリオにおいて、データユニット２００はデータ部分２１８を省略する。実施形態において、Ｌ‐ＳＴＦ２０２、Ｌ‐ＬＴＦ２０４、Ｌ‐ＳＩＧ２０６及びＲＬ‐ＳＩＧ２０８はデータユニット２００のレガシ部分２２０を形成する。実施形態において、ＨＥ‐ＳＩＧ‐Ａ２１０、ＨＥ‐ＳＩＧ‐Ｂ２１２、ＨＥ‐ＳＴＦ２１４、ＨＥ‐ＬＴＦ２１６及びＨＥ‐データ２１８はデータユニット２００のＨＥ部分２２２を形成する。実施形態において、ＨＥ‐ＳＩＧ‐Ｂ２１２は、ＨＥ‐ＳＩＧ‐Ｂ２１２がＨＥ‐ＳＩＧ‐Ａ２１０の直後に続くようにデータユニット２００に配置される。実施形態において、ＨＥ‐ＳＩＧ‐Ｂ２１２は、ＨＥ‐ＳＴＦ２１４及びＨＥ‐ＬＴＦ２１６の前にＨＥ‐ＳＩＧ‐Ｂ２１２が伝送されるようにデータユニット２００に配置される。
【００３８】
図２の実施形態において、Ｌ‐ＳＴＦ２０２、Ｌ‐ＬＴＦ２０４、Ｌ‐ＳＩＧ２０６及びＲＬ‐ＳＩＧ２０８は、データユニット２００の４つの２０ＭＨｚサブバンドのそれぞれに複製される。従って、データユニット２００は、Ｌ‐ＳＴＦ２０２、Ｌ‐ＬＴＦ２０４、Ｌ‐ＳＩＧ２０６、及びＲＬ‐ＳＩＧ２０８をそれぞれ４つずつ含む。データユニット２００に類似するデータユニットが８０ＭＨｚ以外の累積的な帯域幅を占有する他の実施形態において、Ｌ‐ＳＴＦ２０２、Ｌ‐ＬＴＦ２０４、Ｌ‐ＳＩＧ２０６、及びＲＬ‐ＳＩＧ２０８のそれぞれは、データユニットの帯域幅全体のうちの対応する数の２０ＭＨｚサブバンドにわたって複製される。例えば、実施形態において、データユニットは、１６０ＭＨｚ帯域幅を占有し、それに従って、Ｌ‐ＳＴＦ２０２、Ｌ‐ＬＴＦ２０４、Ｌ‐ＳＩＧ２０６、及びＲＬ‐ＳＩＧ２０８をそれぞれ８つずつ含む。
【００３９】
図２の実施形態において、ＨＥ‐ＳＩＧ‐Ａ２１０は、２０ＭＨｚ帯域幅を占有し、データユニット２００の各２０ＭＨｚサブバンドに複製される。一方、ＨＥ‐ＳＩＧ‐Ｂ２１２は、４０ＭＨｚ帯域幅を占有し、データユニット２００の２つの４０ＭＨｚサブバンドのそれぞれに複製される。従って、図示された実施形態において、データユニット２００は４つのＨＥ‐ＳＩＧ‐Ａフィールド２１０及び２つのＨＥ‐ＳＩＧ‐Ｂフィールド２１２を含む。データユニット２００に類似するデータユニットが８０ＭＨｚ以外の累積的な帯域幅を占有する他の実施形態において、ＨＥ‐ＳＩＧ‐Ａのそれぞれは、データユニットの帯域幅全体のうちの対応する数の２０ＭＨｚサブバンドにわたって複製され、ＨＥ‐ＳＩＧ‐Ｂ２１２は、データユニットの帯域幅全体のうち対応する数の４０ＭＨｚサブバンドにわたって複製される。例えば、実施形態において、データユニットは、１６０ＭＨｚ帯域幅を占有し、それに従って、８つのＨＥ‐ＳＩＧ‐Ａ２１０及び４つのＨＥ‐ＳＩＧ‐Ｂ２１２を含む。
【００４０】
いくつかの実施形態において、異なる２０ＭＨｚサブバンド信号の変調は異なる角度で回転される。例えば、一実施形態において、第１サブバンド内の全てのＯＦＤＭトーンは０度回転され、第２サブバンド内の全てのＯＦＤＭトーンは９０度回転され、第３サブバンドは１８０度回転され、第４サブバンドは２７０度回転される。他の実施形態において、異なる好適な回転が利用される。少なくともいくつかの実施形態において、２０ＭＨｚサブバンド信号の異なる位相は、データユニット２００におけるＯＦＤＭシンボルの低減されたピーク対平均電力比（ＰＡＰＲ）をもたらす。実施形態において、第１通信プロトコルに準拠するデータユニットが２０ＭＨｚ、４０ＭＨｚ、８０ＭＨｚ、１６０ＭＨｚ、３２０ＭＨｚ、６４０ＭＨｚ等のような累積的な帯域幅を占有するデータユニットである場合、ＨＥ‐ＳＴＦ２１４及びＨＥ‐ＬＴＦ２１６はデータユニットの対応する帯域幅全体を占有する。
【００４１】
実施形態において、データ部分２１８は、クライアント局２５へのデータの伝送のために割り当てられた４つのリソースユニットに対応する４つの周波数部分２２４を含む。実施形態において、周波数部分２２４は、単一のクライアント局２５へのＳＵ伝送のために割り当てられたリソースユニット又は複数のクライアント局２５へのＭＵ‐ＭＩＭＯ伝送のために割り当てられたリソースユニットに対応する。図示された実施形態では、データ部分２１８は４つの周波数部分２２４を含むが、他の実施形態において、データ部分２１８は、別の好適な数（例えば、１、２、３、５、６、７、８、９、１０、１１、１２等）の周波数部分２２４を含む。概して、様々な実施形態において、データ部分２１８は、各周波数部分が任意の好適な数のクライアント局へのデータの伝送のために割り当てられたリソースユニットに対応する任意の好適な数の周波数部分を含む。
【００４２】
実施形態において、ＨＥ‐ＳＩＧ‐Ａ２１０及びＨＥ‐ＳＩＧ‐Ｂ２１２は、概して、実施形態におけるデータユニット２００の少なくとも一部分を適切にデコードすることに必要とされる情報のような、データユニット２００のフォーマットについての情報を搬送する。データユニット２００がマルチユーザデータユニットである実施形態において、ＨＥ‐ＳＩＧ‐Ａ２１０は、データユニット２００の複数の意図された受信機により一般に必要とされる情報を搬送する。いくつかの実施形態において、ＨＥ‐ＳＩＧ‐Ａ２１０は、データユニット２００の受信機ではないクライアント局２５からの媒体保護のために必要とされる情報のような、データユニット２００の意図した受信機ではないクライアント局２５のための情報をさらに含む。一方、実施形態において、ＨＥ‐ＳＩＧ‐Ｂ２１２は、データユニット２００の意図された受け手である各クライアント局２５により個別に必要とされるユーザ固有の情報を搬送する。実施形態において、ＨＥ‐ＳＩＧ‐Ａ２１０はＨＥ‐ＳＩＧ‐Ｂ２１２を適切にデコードすることに必要とされる情報を含み、ＨＥ‐ＳＩＧ‐Ｂ２１２はデータユニット２００のデータ部分２１８内のデータストリームを適切にデコードすることに必要とされる情報を含む。しかしながら、いくつかの実施形態及び／又はシナリオにおいて、ＨＥ‐ＳＩＧ‐Ａフィールド２１０は、データ部分２１８をデコードすることに必要とされる情報の少なくともいくつかを含む。
【００４３】
図３は、実施形態に係る、ＡＰ１４が１又は複数のクライアント局２５（例えば、クライアント局２５−１）に伝送するように構成されるＰＨＹデータユニット３００の図である。データユニット３００は、ＨＥ通信プロトコルに準拠し、８０ＭＨｚ帯域幅を占有する。他の実施形態において、データユニット３００に類似するデータユニットは、例えば、２０ＭＨｚ、４０ＭＨｚ、１６０ＭＨｚ、３２０ＭＨｚ、６４０ＭＨｚのような他の好適な帯域幅、又は他の好適な帯域幅を占有する。データユニット３００は、図２のデータユニット２００に類似しており、図２のデータユニット２００に付されたものと同じ符号が付された要素の多くを含む。図示を簡潔にするために、データユニット３００はレガシ部分なしで示される。しかしながら、いくつかの実施形態において、データユニット３００は、図２のレガシ部分２２０のようなレガシ部分を含む。
【００４４】
データユニット３００は、データユニット３００の各２０ＭＨｚサブバンドに複製される第１ＨＥ信号フィールドＨＥ‐ＳＩＧ‐Ａ３１０と、第２ＨＥ信号フィールドＨＥ‐ＳＩＧ‐Ｂ３１２とを含む。ＨＥ‐ＳＩＧ‐Ｂ３１２は、４０ＭＨｚ帯域幅を占有する部分を含み、データユニット３００の各４０ＭＨｚサブバンドに複製される。４０ＭＨｚ帯域幅を占有する複製された部分はＨＥ‐ＳＩＧ‐Ｂ１フィールド３１２ａ及びＨＥ‐ＳＩＧ‐Ｂ２フィールド３１２ｂを含み、それぞれが４０ＭＨｚ帯域幅のうちの２０ＭＨｚサブバンドを占有する。従って、図示された実施形態において、データユニット３００は２つのＨＥ‐ＳＩＧ‐Ｂ１フィールド３１２ａ及び２つのＨＥ‐ＳＩＧ‐Ｂ２フィールド３１２ｂを含む。データユニット３００に類似するデータユニットが８０ＭＨｚ以外の累積的な帯域幅を占有する他の実施形態において、ＨＥ‐ＳＩＧ‐Ａ３１０のそれぞれは、データユニットの帯域幅全体のうちの対応する数の２０ＭＨｚサブバンドにわたって複製され、ＨＥ‐ＳＩＧ‐Ｂ３１２の各４０ＭＨｚ幅の部分は、データユニットの帯域幅全体のうちの対応する数の４０ＭＨｚサブバンドにわたって複製される。例えば、実施形態において、データユニットは１６０ＭＨｚ帯域幅を占有し、それに従って、８つのＨＥ‐ＳＩＧ‐Ａ３１０と、ＨＥ‐ＳＩＧ‐Ｂ１  ３１２ａ及びＨＥ‐ＳＩＧ‐Ｂ２  ３１２ｂをそれぞれ４つずつとを含む。実施形態において、ＨＥ‐ＳＩＧ‐Ｂ３１２は、ＨＥ‐ＳＩＧ‐Ｂ３１２がＨＥ‐ＳＩＧ‐Ａ３１０の直後に続くようにデータユニット３００に配置される。実施形態において、ＨＥ‐ＳＩＧ‐Ｂ３１２は、ＨＥ‐ＳＴＦ２１４及びＨＥ‐ＬＴＦ２１６の前にＨＥ‐ＳＩＧ‐Ｂ３１２が伝送されるようにデータユニット３００に配置される。
【００４５】
図４は、実施形態に係る、ＡＰ１４が１又は複数のクライアント局２５（例えば、クライアント局２５−１）へ伝送するように構成されるＰＨＹデータユニット４００の図である。データユニット４００は、ＨＥ通信プロトコルに準拠し、８０ＭＨｚ帯域幅を占有する。他の実施形態において、データユニット４００に類似するデータユニットは、例えば、２０ＭＨｚ、４０ＭＨｚ、１６０ＭＨｚ、３２０ＭＨｚ、６４０ＭＨｚのような他の好適な帯域幅、又は他の好適な帯域幅を占有する。データユニット４００は、図２のデータユニット２００に類似しており、図２のデータユニット２００に付されたものと同じ符号が付された要素の多くを含む。図示を簡潔にするために、データユニット４００はレガシ部分なしで示される。しかしながら、いくつかの実施形態において、データユニット４００は、図２のレガシ部分２２０のようなレガシ部分を含む。
【００４６】
データユニット４００は、データユニット４００の各２０ＭＨｚサブバンドに複製される第１ＨＥ信号フィールドＨＥ‐ＳＩＧ‐Ａ４１０と、データユニット４００の各４０ＭＨｚサブバンドに複製される第２ＨＥ信号フィールドＨＥ‐ＳＩＧ‐Ｂ４１２とを含む。さらに、データユニット４００は第３信号フィールドＨＥ‐ＳＩＧ‐Ｃ４１４を含む。第３信号フィールドＨＥ‐ＳＩＧ‐Ｃ４１４は、データユニット４００のデータ部分２１８の周波数部分２２４にそれぞれ対応する複数の部分を含む。実施形態において、特定の周波数部分２２４に対応するＨＥ‐ＳＩＧ‐Ｃ４１４の特定部分は対応する周波数部分２２４と同じサブチャネルで伝送される。実施形態において、特定の周波数部分２２４に対応するＨＥ‐ＳＩＧ‐Ｃ４１４の特定部分は、対応する周波数部分２２４をデコードすることに必要とされる情報を含む。実施形態において、ＨＥ‐ＳＩＧ‐Ｂ４１２は、ＨＥ‐ＳＩＧ‐Ｂ４１２がＨＥ‐ＳＩＧ‐Ａ４１０の直後に続くようにデータユニット４００に配置される。実施形態において、ＨＥ‐ＳＩＧ‐Ｂ４１２は、ＨＥ‐ＳＴＦ２１４及びＨＥ‐ＬＴＦ２１６の前にＨＥ‐ＳＩＧ‐Ｂ４１２が伝送されるようにデータユニット４００に配置される。実施形態において、ＨＥ‐ＳＩＧ‐Ｃ４１４は、ＨＥ‐ＳＴＦ２１４及びＨＥ‐ＬＴＦ２１６の後にＨＥ‐ＳＩＧ‐Ｃ４１４が伝送されるようにデータユニット４００に配置される。
【００４７】
図５は、実施形態に係る、ＡＰ１４が１又は複数のクライアント局２５へ伝送するように構成されるＰＨＹデータユニット５００の図である。データユニット５００は、ＨＥ通信プロトコルに準拠し、８０ＭＨｚ帯域幅を占有する。他の実施形態において、データユニット５００に類似するデータユニットは、例えば、２０ＭＨｚ、４０ＭＨｚ、１６０ＭＨｚ、３２０ＭＨｚ、６４０ＭＨｚのような他の好適な帯域幅、又は他の好適な帯域幅を占有する。データユニット５００は、図２のデータユニット２００に類似しており、図２のデータユニット２００に付されたものと同じ符号が付された要素の多くを含む。図示を簡潔にするために、データユニット５００はレガシ部分なしで示される。しかしながら、いくつかの実施形態において、データユニット５００は、図２のレガシ部分２２０のようなレガシ部分を含む。
【００４８】
データユニット５００は、データユニット５００の各２０ＭＨｚサブバンドに複製される第１ＨＥ信号フィールドＨＥ‐ＳＩＧ‐Ａ５１０と、データユニット５００の帯域幅全体を占有する第２ＨＥ信号フィールドＨＥ‐ＳＩＧ‐Ｂ５１２とを含む。実施形態において、ＨＥ‐ＳＩＧ‐Ｂ５１２は、ＨＥ‐ＳＩＧ‐Ｂ５１２がＨＥ‐ＳＩＧ‐Ａ５１０の直後に続くようにデータユニット５００に配置される。実施形態において、ＨＥ‐ＳＩＧ‐Ｂ５１２は、ＨＥ‐ＳＴＦ２１４及びＨＥ‐ＬＴＦ２１６の前にＨＥ‐ＳＩＧ‐Ｂ５１２が伝送されるようにデータユニット５００に配置される。
【００４９】
図６は、実施形態に係る、ＡＰ１４が１又は複数のクライアント局２５へ伝送するように構成されるＰＨＹデータユニット６００の図である。データユニット６００は、ＨＥ通信プロトコルに準拠し、８０ＭＨｚ帯域幅を占有する。他の実施形態において、データユニット６００に類似するデータユニットは、例えば、２０ＭＨｚ、４０ＭＨｚ、１６０ＭＨｚ、３２０ＭＨｚ、６４０ＭＨｚのような他の好適な帯域幅、又は他の好適な帯域幅を占有する。データユニット６００は、図２のデータユニット２００に類似しており、図２のデータユニット２００に付されたものと同じ符号が付された要素の多くを含む。図示を簡潔にするために、データユニット６００はレガシ部分なしで示される。しかしながら、いくつかの実施形態において、データユニット６００は、図２のレガシ部分２２０のようなレガシ部分を含む。
【００５０】
データユニット６００は、データユニット６００の各２０ＭＨｚサブバンドに複製される第１ＨＥ信号フィールドＨＥ‐ＳＩＧ‐Ａ６１０と、データユニット６００の帯域幅全体に広がる第２ＨＥ信号フィールドＨＥ‐ＳＩＧ‐Ｂ６１２とを含む。さらに、データユニット６００は第３信号フィールドＨＥ‐ＳＩＧ‐Ｃ６１４を含む。第３信号フィールドＨＥ‐ＳＩＧ‐Ｃ６１４は、データユニット４００のデータ部分２１８の周波数部分２２４にそれぞれ対応する複数の周波数部分を含む。実施形態において、特定の周波数部分２２４に対応するＨＥ‐ＳＩＧ‐Ｃ６１４の特定の周波数部分は、対応する周波数部分２２４と同じサブチャネル（例えば、同じリソースユニット）で伝送される。実施形態において、データ部分２１８の特定の周波数部分２２４に対応するＨＥ‐ＳＩＧ‐Ｃ６１４の特定の周波数部分は、対応する周波数部分２２４をデコードすることに必要とされる情報を含む。実施形態において、ＨＥ‐ＳＩＧ‐Ｂ６１２は、ＨＥ‐ＳＩＧ‐Ｂ６１２がＨＥ‐ＳＩＧ‐Ａ６１０の直後に続くようにデータユニット６００に配置される。実施形態において、ＨＥ‐ＳＩＧ‐Ｂ６１２は、ＨＥ‐ＳＴＦ２１４及びＨＥ‐ＬＴＦ２１６の前にＨＥ‐ＳＩＧ‐Ｂ６１２が伝送されるようにデータユニット６００に配置される。実施形態において、ＨＥ‐ＳＩＧ‐Ｃ６１４は、ＨＥ‐ＳＴＦ２１４及びＨＥ‐ＬＴＦ２１６の後にＨＥ‐ＳＩＧ‐Ｃ６１４が伝送されるようにデータユニット６００に配置される。
【００５１】
図７は、実施形態に係る、ＡＰ１４が１又は複数のクライアント局２５へ伝送するように構成されるＰＨＹデータユニット７００の図である。データユニット７００は、ＨＥ通信プロトコルに準拠し、８０ＭＨｚ帯域幅を占有する。他の実施形態において、データユニット７００に類似するデータユニットは、例えば、２０ＭＨｚ、４０ＭＨｚ、１６０ＭＨｚ、３２０ＭＨｚ、６４０ＭＨｚのような他の好適な帯域幅、又は他の好適な帯域幅を占有する。データユニット７００は、図２のデータユニット２００に類似しており、図２のデータユニット２００に付されたものと同じ符号が付された要素の多くを含む。図示を簡潔にするために、データユニット７００はレガシ部分なしで示される。しかしながら、いくつかの実施形態において、データユニット７００は、図２のレガシ部分２２０のようなレガシ部分を含む。
【００５２】
データユニット７００は、データユニット７００の各２０ＭＨｚサブバンドに複製される第１ＨＥ信号フィールドＨＥ‐ＳＩＧ‐Ａ７１０と、データユニット７００のデータ部分２１８の周波数部分２２４にそれぞれ対応する複数の部分を含む第２信号フィールドＨＥ‐ＳＩＧ‐Ｃ７１４とを含む。実施形態において、特定の周波数部分２２４に対応するＨＥ‐ＳＩＧ‐Ｃ７１４の特定部分は、対応する周波数部分２２４と同じサブチャネルで伝送される。実施形態において、特定の周波数部分２２４に対応するＨＥ‐ＳＩＧ‐Ｃ７１４の特定部分は、対応する周波数部分２２４をデコードすることに必要とされる情報を含む。実施形態において、ＨＥ‐ＳＩＧ‐Ｃ７１４は、ＨＥ‐ＳＴＦ２１４及びＨＥ‐ＬＴＦ２１６の後にＨＥ‐ＳＩＧ‐Ｃ７１４が伝送されるようにデータユニット７００に配置される。
【００５３】
図８は、実施形態に係る、ＡＰ１４が１又は複数のクライアント局２５へ伝送するように構成されるＰＨＹデータユニット８００の図である。データユニット８００は、ＨＥ通信プロトコルに準拠し、８０ＭＨｚ帯域幅を占有する。他の実施形態において、データユニット８００に類似するデータユニットは、例えば、２０ＭＨｚ、４０ＭＨｚ、１６０ＭＨｚ、３２０ＭＨｚ、６４０ＭＨｚのような他の好適な帯域幅、又は他の好適な帯域幅を占有する。データユニット８００は、図２のデータユニット２００に類似しており、図２のデータユニット２００に付されたものと同じ符号が付された要素の多くを含む。図示を簡潔にするために、データユニット８００はレガシ部分なしで示される。しかしながら、いくつかの実施形態において、データユニット８００は、図２のレガシ部分２２０のようなレガシ部分を含む。
【００５４】
データユニット８００は、データユニット８００の各２０ＭＨｚサブバンドに複製される第１ＨＥ信号フィールドＨＥ‐ＳＩＧ‐Ａ８１０と、データユニット８００の帯域幅全体を占有する第２信号フィールドＨＥ‐ＳＩＧ‐Ｃ８１４とを含む。実施形態において、ＨＥ‐ＳＩＧ‐Ｃ８１２は、ＨＥ‐ＳＴＦ２１４及びＨＥ‐ＬＴＦ２１６の後にＨＥ‐ＳＩＧ‐Ｃ８１２が伝送されるようにデータユニット８００に配置される。
【００５５】
図９は、実施形態に係る、ＡＰ１４が１又は複数のクライアント局２５へ伝送するように構成されるＰＨＹデータユニット９００の図である。データユニット９００は、ＨＥ通信プロトコルに準拠し、８０ＭＨｚ帯域幅を占有する。他の実施形態において、データユニット９００に類似するデータユニットは、例えば、２０ＭＨｚ、４０ＭＨｚ、１６０ＭＨｚ、３２０ＭＨｚ、６４０ＭＨｚのような他の好適な帯域幅、又は他の好適な帯域幅を占有する。データユニット９００は、図２のデータユニット２００に類似しており、図２のデータユニット２００に付されたものと同じ符号が付された要素の多くを含む。図示を簡潔にするために、データユニット９００はレガシ部分なしで示される。しかしながら、いくつかの実施形態において、データユニット９００は、図２のレガシ部分２２０のようなレガシ部分を含む。データユニット９００は、データユニット９００の各２０ＭＨｚサブバンドに複製される単一のＨＥ信号フィールドＨＥ‐ＳＩＧ‐Ａ９１０を含む。
【００５６】
図１０は、実施形態に係る、ＡＰ１４が１又は複数のクライアント局２５へ伝送するように構成されるＰＨＹデータユニット１０００の図である。データユニット１０００は、ＨＥ通信プロトコルに準拠し、８０ＭＨｚ帯域幅を占有する。他の実施形態において、データユニット８００に類似するデータユニットは、例えば、２０ＭＨｚ、４０ＭＨｚ、１６０ＭＨｚ、３２０ＭＨｚ、６４０ＭＨｚのような他の好適な帯域幅、又は他の好適な帯域幅を占有する。データユニット１０００は、図２のデータユニット２００に類似しており、図２のデータユニット２００に付されたものと同じ符号が付された要素の多くを含む。図示を簡潔にするために、データユニット１０００はレガシ部分なしで示される。しかしながら、いくつかの実施形態において、データユニット１０００は、図２のレガシ部分２２０のようなレガシ部分を含む。
【００５７】
データユニット１０００は、データユニット１０００の各２０ＭＨｚサブバンドに複製される第１ＨＥ信号フィールドＨＥ‐ＳＩＧ‐Ａ１０１０と、データユニット１０００の各２０ＭＨｚサブバンドに複製される第２信号フィールドＨＥ‐ＳＩＧ‐Ｂ１０１２とを含む。実施形態において、ＨＥ‐ＳＩＧ‐Ｂ１０１２は、ＨＥ‐ＳＩＧ‐Ｂ１０１２がＨＥ‐ＳＩＧ‐Ａ１０１０の直後に続くようにデータユニット１０００に配置される。実施形態において、ＨＥ‐ＳＩＧ‐Ｂ１０１２は、ＨＥ‐ＳＴＦ２１４及びＨＥ‐ＬＴＦ２１６の前にＨＥ‐ＳＩＧ‐Ｂ１０１２が伝送されるようにデータユニット１０００に配置される。
【００５８】
信号フィールドがデータユニットの複数のサブバンドに複製されるいくつかの実施形態において、信号フィールドの１つのコピーがデータユニットのサブバンドにわたって任意の適切な態様で分散される。例えば、図２のＨＥ‐ＳＩＧ‐Ｂ２１２のような、例えば、複製された４０ＭＨｚ  ＨＥ‐ＳＩＧ‐Ｂフィールドを８０ＭＨｚ幅のデータユニットが含む実施形態において、４０ＭＨｚ  ＨＥ‐ＳＩＧ‐Ｂの第１コピーは、ＷＬＡＮ１０のプライマリ２０ＭＨｚチャネル（「Ｐ２０」）及びＷＬＡＮ１０のセカンダリ２０ＭＨｚチャネル（「Ｓ２０」）に対応するサブバンドに含まれ、４０ＭＨｚ  ＨＥ‐ＳＩＧ‐Ｂの第２コピーは、ＷＬＡＮ１０のセカンダリ４０ＭＨｚチャネルに対応するサブバンドに含まれる。別の例として、複製された４０ＭＨｚ  ＨＥ‐ＳＩＧ‐Ｂを８０ＭＨｚ幅のデータユニットが含む別の実施形態では、ＨＥ‐ＳＩＧ‐Ｂの第１コピーは、Ｐ２０とＳ４０内の２０ＭＨｚチャネルのうちの１つとに対応するサブバンドに含まれ、第２コピーは、Ｓ２０とＳ４０内の２０ＭＨｚチャネルのうちの他の１つとに対応するサブバンドに含まれる。いくつかのそのような実施形態において、ＨＥ‐ＳＩＧ‐Ｂのコピーが伝送される特定のサブバンド構成が決定される。代わりに、いくつかの実施形態において、ＨＥ‐ＳＩＧ‐Ｂのコピーが伝送される特定のサブバンドは（例えば、ＡＰ１４により）順応的に選択され、明示的又は暗黙的に受信デバイスへ通知される。実施形態において、１又は複数のデータユニットに対して選択されたサブバンド構成は、１又は複数のデータユニットの伝送の前にＡＰ１４により伝送された管理又は制御フレームにより通知され、又は、１又は複数のデータユニットの（例えば、Ｌ‐ＳＩＧフィールド、ＳＩＧ‐Ａフィールド等）のプリアンブルで通知される。さらに又は代わりに、選択されたサブバンド構成は、１又は複数のデータユニットのそれぞれのプリアンブル内の特定の変調（例えば、１又は複数のフィールド（例えば、Ｌ‐ＳＩＧフィールド、ＳＩＧ‐Ａフィールド等）の二位相偏移変調（ＢＰＳＫ）又は直交ＢＰＳＫ（Ｑ‐ＢＰＳＫ））により暗黙的に通知される。
【００５９】
信号フィールドがデータユニットの複数のサブバンドに複製されるいくつかの実施形態において、信号フィールドはいくつかのシナリオで部分的に伝送されるのみである。言い換えれば、そのような実施形態及び／又はシナリオにおいて、信号フィールドの部分はデータユニットから「パンクチャリング」される。例えば、ＷＬＡＮ１０の特定のサブチャネルがビジーであるとき、信号フィールドの部分はデータユニットからパンクチャリングされ、ＡＰ１４は、ＷＬＡＮ１０のサブチャネルのうちの他のものにおけるリソースユニットを用いて１又は複数のクライアント局２５にデータを伝送する。この場合、実施形態において、ビジー状態のサブチャネルに対応する信号フィールドを含む、ビジー状態のサブチャネルに対応するデータユニットの部分は、データユニットから「パンクチャリング」され、ＡＰ１４により伝送されない。いくつかの実施形態及び／又はシナリオにおいて、例えば、図２を参照すると、データユニット２００は、ＨＥ‐ＳＩＧ‐Ｂ２１２の１つのコピーのみを含み、又は、ＨＥ‐ＳＩＧ‐Ｂ２１２のコピーの一方又は両方の部分のみを含む。いくつかの実施形態及び／又はシナリオにおいて、別の例として、図３を参照すると、データユニット３００は、ＨＥ‐ＳＩＧ‐Ｂ１  ３１２ａの１つのコピーのみ、及び／又は、ＨＥ‐ＳＩＧ‐Ｂ２  ３１２ｂの１つのコピーのみを含む。
【００６０】
図１１Ａ−図１１Ｆは、いくつかの実施形態に係る、例示的なパンクチャリングされた信号フィールド構成のブロック図である。説明しやすくするために、図示される信号フィールド構成は８０ＭＨｚチャネルに対応する。より具体的には、８０ＭＨｚチャネルにおける図２のＨＥ‐ＳＩＧ‐Ｂ２１２についてのパンクチャリングされた伝送が示される。しかしながら、いくつかの実施形態において、同一又は同様のパンクチャリング技術が他のデータユニット及び／又は他のチャネル帯域幅とともに用いられる。まず図１１Ａを参照すると、図示された実施形態では、ＷＬＡＮ１０のＰ２０及びＳ２０に対応するサブバンドに含まれるＨＥ‐ＳＩＧ‐Ｂの第１コピーの部分１１０２のみが伝送される。図示された実施形態では、特に、ＨＥ‐ＳＩＧ‐Ｂの第１コピーにおいて、Ｓ２０に対応する部分がデータユニットからパンクチャリングされる。次に図１１Ｂを参照すると、図示された実施形態では、ＷＬＡＮ１０のＳ４０（Ｓ４０‐Ａ及びＳ４０‐Ｂ）に対応するサブバンドに含まれるＨＥ‐ＳＩＧ‐Ｂの第２コピーの部分１１０４のみが伝送される。図示された実施形態では、特に、ＨＥ‐ＳＩＧ‐Ｂの第２コピーにおいて、Ｓ４０‐Ａに対応する部分がデータユニットからパンクチャリングされる。次に図１１Ｃを参照すると、図示された実施形態では、ＷＬＡＮ１０のＳ４０（Ｓ４０‐Ａ及びＳ４０‐Ｂ）に対応するサブバンドに含まれるＨＥ‐ＳＩＧ‐Ｂの第２コピーの部分１１０６のみが伝送される。図示された実施形態では、特に、ＨＥ‐ＳＩＧ‐Ｂの第２コピーにおいて、Ｓ４０‐Ｂに対応する部分がデータユニットからパンクチャリングされる。
【００６１】
図１１Ａ−図１１Ｃの実施形態において、完全なＨＥ‐ＳＩＧ‐Ｂがデータユニットの連続的なサブバンドに常に含まれるように、信号フィールドパンクチャリングが実行される。別の実施形態において、完全なＨＥ‐ＳＩＧ‐Ｂはデータユニットの不連続サブバンド間に分散され得る。図１１Ｄは、実施形態に係る、完全なＨＥ‐ＳＩＧ‐Ｂがデータユニットの不連続サブバンド間に分散される例示的なパンクチャリングされた信号フィールド構成のブロック図である。図示された実施形態において、ＨＥ‐ＳＩＧ‐Ｂの不連続な部分１１０８及び１１１０は完全なＨＥ‐ＳＩＧ‐Ｂフィールドを形成する。いくつかの実施形態及び／又はシナリオにおいて、信号フィールドパンクチャリングは、データユニットの１つのサブバンドより多くのものに対して実行される。図１１Ｅ−図１１Ｆは、いくつかの実施形態に係る、データユニットの２つのサブバンドにおいて信号フィールドがパンクチャリングされる例示的なパンクチャリングされた信号フィールド構成のブロック図である。
【００６２】
信号フィールドの部分のみがデータユニットに含まれる実施形態において、信号フィールドの部分は、信号フィールドの情報ビットの対応する部分を含む。信号フィールドの部分のみがデータユニットに含まれる別の実施形態において、信号フィールドの部分は、信号フィールドの完全なコピーに用いられるＭＣＳと比較して、より高いＭＣＳを用いて変調される。実施形態において、信号フィールドの情報ビットの全てが信号フィールドの伝送される部分に含まれるように、信号フィールドの部分に用いられるＭＣＳは十分に高い。例として、図１１Ａを参照すると、実施形態において、ＨＥ‐ＳＩＧ‐Ｂフィールドの部分１１０２はＨＥ‐ＳＩＧ‐Ｂの情報ビットの半分を含み、ＨＥ‐ＳＩＧ‐Ｂフィールドの第２コピーはＨＥ‐ＳＩＧ‐Ｂフィールドの情報ビットの全てを含む。別の実施形態において、ＨＥ‐ＳＩＧ‐Ｂフィールドの部分１１０２及びＨＥ‐ＳＩＧ‐Ｂフィールドの第２コピーは、それぞれＨＥ‐ＳＩＧ‐Ｂフィールドの情報ビットの全てを含み、４０ＭＨｚ幅のＨＥ‐ＳＩＧ‐Ｂフィールドの全ての情報ビットがデータユニットの２０ＭＨｚサブバンドで伝送されるように、より高いＭＣＳが少なくとも部分１１０２に対して用いられる。
【００６３】
図１２は、実施形態に係る信号フィールド１２００のブロック図である。様々な実施形態において、信号フィールド１２００は、図２−図１０に関して上述した様々なＨＥ‐ＳＩＧ‐Ａフィールドに対応する。実施形態において、例えば、信号フィールド１２００は図２のＨＥ‐ＳＩＧ‐Ａ２１０に対応する。別の実施形態では、単なる別の例として、信号フィールド１２００は図３のＨＥ‐ＳＩＧ‐Ａ３１０に対応する。いくつかの実施形態において、信号フィールド１２００は、図２−図１０に関して上述したデータユニットとは異なる好適なデータユニットに含まれる。説明しやすくするために、信号フィールド１２００は図２のデータユニット２００を参照して以下に説明される。
【００６４】
信号フィールド１２００は複数のサブフィールド１２０２を含む。例示的な実施形態によれば、サブフィールド１２０２に対するビット割当が図１２のサブフィールド１２０２上に示される。他の実施形態において、他のビット割当がサブフィールド１２０２に用いられる。サブフィールド１２０２は、ヌメロロジー（ｎｕｍｅｒｏｌｏｇｙ）サブフィールド１２０２−２、帯域幅（ＢＷ）サブフィールド１２０２−４、基本サービスセット（ＢＳＳ）カラーサブフィールド１２０２−６、パケットタイプサブフィールド１２０２−８、予約サブフィールド１２０２−１０、巡回冗長検査（ＣＲＣ）サブフィールド１２０２−１２、及びテールビット１２０２−１４を含む。実施形態において、ヌメロロジーサブフィールド１２０２−２はデータユニット２００のデータ部分２１８のＯＦＤＭシンボルとともに用いられるガードインターバル長の表示を含む。例えば、実施形態において、ヌメロロジーサブフィールド１２０２−２は、実施形態における４つの可能なガードインターバル長のうちの１つを示すように設定される２ビットを含む。別の実施形態において、ヌメロロジーサブフィールド１２０２−２は２ビット以外の好適な数のビットを含む。実施形態において、ＢＷサブフィールド１２０２−４は、データユニット２００の帯域幅の表示を含む。実施形態において、ＢＳＳカラーサブフィールド１２０２−６は、データユニット２００が伝送されているＢＳＳの識別子を含む。パケットタイプサブフィールド１２０２−８はデータユニット２００のタイプの表示を含む。例えば、実施形態において、パケットタイプサブフィールド１２０２−８は、実施形態におけるデータユニット２００がＯＦＤＭデータユニット又はＯＦＤＭＡデータユニットであるか、データユニット２００がＳＵデータユニット又はＭＵ−ＭＩＭＯデータユニットであるか等を示すように設定される。パケットタイプサブフィールドはＬ_ｔｙｐｅ番号のビットを含み、Ｌ_ｔｙｐｅは整数である。実施形態において、Ｌ_ｔｙｐｅは２に等しい。従って、この実施形態では、パケットタイプサブフィールド１２０２−８は、２ビットを含み、最大４つまでの異なる可能なパケットタイプのうちの１つを示すことができる。別の実施形態において、パケットタイプサブフィールド１２０２−８は複数のビットのうち別の好適な数（例えば、１、３、４、５、６等）のビットを含む。実施形態において、予約サブフィールド１２０２−１０は、好適な整数の数（Ｌ＿ｒｅｓｅｒｖｅｄ）の予約されたビットを含む。
【００６５】
実施形態において、引き続き図１２を参照すると、ＣＲＣビット１２０２−１０は、受信デバイスで様々なサブフィールド１２０２の正確性をチェックするために用いられるＣＲＣビットを含む。テールビット１２０２−１４は、適切な動作のために畳み込み符号器のトレリスを終了することに必要とされるテールビットを含む。いくつかの実施形態において、信号フィールド１２００は図１２に示されるサブフィールド１２０２のいくつかを省略する。実施形態において、例えば、信号フィールド１２００はＢＳＳカラーサブフィールド１２０２−６を省略する。単なる別の例として、テールバイティングバイナリ畳み込み符号（ＴＢＣＣ）エンコーディングが信号フィールド１２００をエンコードするために用いられる実施形態では、信号フィールド１２００はテールビット１２０２−１４を省略する。いくつかの実施形態において、信号フィールド１２００は図１２に示されない追加のサブフィールド１２０２を含む。いくつかの実施形態において、例えば、信号フィールド１２００はデータユニット２００のデータ部分２１８内の、１又は複数のクライアント局２５へのデータの伝送のために割り当てられるリソースユニット（例えば、データ部分２１８の周波数部分２２４の幅及び位置）を示すリソース割当サブフィールドを含む。
【００６６】
図１３Ａは、実施形態に係る信号フィールド１３００のブロック図である。様々な実施形態において、信号フィールド１３００は、図２−図１０に関して上述した様々なＨＥ‐ＳＩＧ‐Ｂ及び／又はＨＥ‐ＳＩＧ‐Ｃフィールドに対応する。実施形態において、例えば、信号フィールド１３００は図２のＨＥ‐ＳＩＧ‐Ｂ２１２に対応する。別の実施形態では、単なる別の例として、信号フィールド１３００は図３のＨＥ‐ＳＩＧ‐Ｂ３１２に対応する。いくつかの実施形態において、信号フィールド１３００は、図２−図１０に関して上述したデータユニットとは異なる好適なデータユニットに含まれる。説明しやすくするために、信号フィールド１３００は図２のデータユニット２００を参照して以下に説明される。
【００６７】
信号フィールド１３００は、共通部分（本明細書では「共通ブロック」とも称される）１３０２及び割当毎部分１３０４を含む。実施形態において、以下でさらに詳細に説明されるように、一時的に図１３Ｂを参照すると、割当毎部分１３０４は、データユニット２００内のデータを受信するようにスケジューリングされる１又は複数のユーザ（例えば、１又は複数のクライアント局２５）にそれぞれ対応する１又は複数のユーザブロック１３１０を含む。再び図１３Ａを参照すると、実施形態において、信号フィールド１３００はまた、受信デバイスにて共通ブロック１３０２及び割当毎部分１３０４の正確性をチェックすることに用いられるＣＲＣサブフィールド１３０６を含む。信号フィールド１３００はまた、適切な動作のために畳み込み符号器のトレリスを終了することに必要とされるテールビットを含むテールビット１３０８を含む。いくつかの実施形態において、信号フィールド１３００は図１３Ａに示されるサブフィールド１３０２−１３０８のいくつかを省略する。例えば、それぞれのＣＲＣビットが共通ブロック１３０２及び／又は割当毎部分１３０４に含まれる実施形態におけるようないくつかの実施形態において、信号フィールド１３００はＣＲＣビット１３０６を省略する。一方、いくつかの実施形態において、それぞれのＣＲＣビットが共通ブロック１３０２及び／又は割当毎部分１３０４にさらに含まれるときでさえも、ＣＲＣビット１３０６は信号フィールド１３００に含まれる。別の例として、実施形態において、例えば、テールバイティングＢＣＣエンコーディングが信号フィールド１３００をエンコードすることに用いられるとき、信号フィールド１３００はテールビット１３０８を省略する。いくつかの実施形態において、信号フィールド１３００は図１３Ａに示されない１又は複数のサブフィールドを含む。
【００６８】
図１４は、実施形態に係る信号フィールドに含まれる共通ブロック１４００のブロック図である。実施形態において、共通ブロック１４００は図１３Ａの共通ブロック１３０２に対応する。実施形態において、共通ブロック１４００は図２のＨＥ‐ＳＩＧ‐Ｂ２１２に含まれる。説明しやすくするために、共通ブロック１４００は、図２のデータユニット２００を参照して以下に説明される。しかしながら、いくつかの実施形態において、共通ブロック１４００は、図３−図１０に関して上述したＨＥ‐ＳＩＧ‐Ｂフィールド及び／又はＨＥ‐ＳＩＧ‐Ｃフィールドのような信号フィールドに含まれる、又は、図２−図１０に関して上述したデータユニットとは異なる好適なデータユニットに含まれる。
【００６９】
実施形態において、共通ブロック１４００は複数のサブフィールド１４０２を含む。例示的な実施形態によれば、サブフィールド１４０２に対するビット割当が図１４のサブフィールド１４０２上に示される。他の実施形態において、他のビット割当がサブフィールド１４０２に対して用いられる。サブフィールド１４０２はフレームフォーマット１４０２−２、ＬＴＦ数フィールド（Ｎ＿ＬＴＦ）サブフィールド１４０２−４、ＬＴＦタイプサブフィールド１４０２−６、データＧＩサブフィールド１４０２−８、信号拡張（ＳＥ）表示サブフィールド１４０２−１０、リソース割当サブフィールド１４０２−１２、及びＣＲＣビット１４０２−１４を含む。
【００７０】
実施形態において、フレームフォーマットサブフィールド１４０２−２は、データユニット２００がＯＦＤＭデータユニット又はＯＦＤＭＡデータユニットであるかのような、データユニット２００のフォーマットの表示を含む。Ｎ＿ＬＴＦサブフィールド１４０２−４は、データユニット２００に含まれるＬＴＦフィールド２１６のＯＦＤＭシンボル数の表示を含む。ＬＴＦタイプサブフィールド１４０２−６は、データユニット２００に含まれるＬＴＦフィールド２１６とともに用いられるＬＴＦ圧縮のタイプの表示を含む。例えば、ＬＴＦタイプサブフィールド１４０２−６は、２ｘ又は４ｘ圧縮がＬＴＦフィールド２１６とともに用いられたか否かを示す。データＧＩサブフィールド１４０２−８は、データユニット２００のデータ部分２１８のＯＦＤＭシンボルとともに用いられるガードインターバルの表示を含む。実施形態において、信号拡張サブフィールド１４０２−１０は、拡張フィールドがデータユニット２００及び／又は拡張フィールドの長さの表示に付加されるか否かの表示を含む。いくつかの実施形態において、リソース割当サブフィールド１４０２−１２は、１又は複数のクライアント局２５へのデータの伝送のためにデータユニット２００のデータ部分２１８に割り当てられるリソースユニット（例えば、データ部分２１８の周波数部分２２４の幅及び位置）を示す。実施形態において、リソース割当サブフィールド１４０２−１２のビット数はデータユニット２００の帯域幅によって決まる。様々な実施形態において、以下でさらに詳細に説明されるように、例えば、リソース割当サブフィールド１４０２−１２は、データユニット２００の帯域幅が２０ＭＨｚである場合８ビットを含み、データユニット２００が４０ＭＨｚである場合１６ビットを含み、又は、データユニット２００の帯域幅が８０ＭＨｚである場合３３ビットを含み、リソースユニット割当を示すことに３２ビットが用いられ、中央の基本リソースユニットが未使用であるか否かを示すことに追加のビットが用いられる。
【００７１】
いくつかの実施形態において、フォーマットサブフィールド１４０２−２、Ｎ＿ＬＴＦサブフィールド１４０２−０４、ＬＴＦタイプサブフィールド１４０２−６、データＧＩサブフィールド１４０２−８、信号拡張サブフィールド１４０２−１０、及びリソース割当サブフィールド１４０２−１２のうちの１又は複数がデータユニット２００のＨＥ‐ＳＩＧ‐Ａ２１０に含まれる。そのような実施形態において、データユニット２００のＨＥ‐ＳＩＧ‐Ａ２１０に含まれるフォーマットサブフィールド１４０２−２、Ｎ＿ＬＴＦ数サブフィールド１４０２−０４、ＬＴＦタイプサブフィールド１４０２−６、データＧＩサブフィールド１４０２−８、信号拡張サブフィールド１４０２−１０、及びリソース割当サブフィールド１４０２−１２のうちの１又は複数が共通ブロック１４００から省略される。
【００７２】
図１５は、実施形態に係る２０ＭＨｚチャネル用の許容リソースユニット割当１５００の図である。実施形態において、リソース割当表示（例えば、リソース割当サブフィールド１３０２−１２に含まれるリソース割当表示）は、リソース割当サブフィールドを含むデータユニット（例えば、データユニット２００）の各２０ＭＨｚサブバンドに対するリソース割当１５００のそれぞれのものを示す。実施形態において、リソース割当１５００によれば、２０ＭＨｚチャネルは、９つの２６ＯＦＤＭトーン基本リソースユニットにさらに分割され、２０ＭＨｚチャネルの割当リソースユニットは連続的な基本リソースユニットのうちの１又は複数を含む。実施形態において、特定のリソースユニット構成のみが許容される。実施形態に係る許容リソースユニット構成１５００は、２０ＭＨｚチャネルが合計９つのリソースユニットを含むリソースユニット構成１５０２と、２０ＭＨｚチャネルが合計８つのリソースユニットを含むリソースユニット構成１５０４と、２０ＭＨｚチャネルが合計７つのリソースユニットを含むリソースユニット構成１５０６と、２０ＭＨｚチャネルが合計６つのリソースユニットを含むリソースユニット構成１５０８と、２０ＭＨｚチャネルが合計５つのリソースユニットを含むリソースユニット構成１５１０と、２０ＭＨｚチャネルが合計４つのリソースユニットを含むリソースユニット構成１５１２と、２０ＭＨｚチャネルが合計３つのリソースユニットを含むリソースユニット構成１５１４と、２０ＭＨｚチャネルが合計２つのリソースユニットを含むリソースユニット構成１５１６と、２０ＭＨｚチャネルが合計１つのリソースユニットを含むリソースユニット構成１５１８とを含む。実施形態において、許容リソースユニット構成１５００は、例えば、リソースユニット構成１５１４ｂ、リソースユニット構成１５１４ｃ、及びリソースユニット構成１５１６のような中央の基本リソースユニット（例えば、中央の２６ＯＦＤＭトーンブロック）が未使用であるいくつかのリソースユニット構成を含む。
【００７３】
実施形態において、許容リソースユニット構成１５００はまた、２０ＭＨｚチャネルが０個のリソースユニットを含む、すなわち、２０ＭＨｚチャネルが未使用である構成１５２０を含む。実施形態において、さらに、許容リソースユニット構成１５００は、２０ＭＨｚチャネル及び隣接する２０ＭＨｚチャネルを含む４０ＭＨｚ帯域幅を占有する４８４ＯＦＤＭトーンブロックを単一のリソースユニットが含むリソースユニット構成１５２２と、単一のリソースユニットが９９６ＯＦＤＭトーンブロックを含み、かつ、２０ＭＨｚチャネル及び他の３つの連続的な隣接する２０ＭＨｚチャネルを含む８０ＭＨｚ帯域幅を占有するリソースユニット構成１５２４とを含む。
【００７４】
実施形態において、許容リソース割当１５００のうちの１つを示すリソース割当表示は８ビットを含む。８ビットのうちの特定の値が図１５に示される特定のリソース割当構成１５０２−１５２４に対応する。実施形態において、許容リソースユニット構成１５００は、ＭＵ‐ＭＩＭＯ伝送のために複数のクライアント局２５に割り当てられ得るいくつかのリソースユニットを含む。実施形態において、予め定められた最小数のＯＦＤＭトーン又は予め定められた最小数の基本リソースユニットを含むリソースユニットのみがＭＵ‐ＭＩＭＯ伝送のための割当の対象となる。例えば、実施形態において、１０６ＯＦＤＭトーンに等しい又は１０６ＯＦＤＭトーンより多い数のＯＦＤＭトーンを含むリソースユニット（すなわち、少なくとも４つの基本リソースユニット）のみがＭＵ‐ＭＩＭＯ伝送のために割り当てられ得る。実施形態において、１０６ＯＦＤＭトーンリソースユニットを含むリソースユニット構成に対応するリソース割当構成１５００内の特定の８ビット値はまた、１０６‐ＯＦＤＭリソースユニットに割り当てられるユーザ数（例えば、１‐８ユーザ）を示す。従って、例えば、合計８つの８ビット値は、８つの値のそれぞれが１０６ＯＦＤＭトーンリソースユニットに割り当てられる特定数のクライアント局に対応する場合、１０６ＯＦＤＭトーンリソースユニットを含むリソースユニット構成１５１０ａに対応する。同様に、別の例として、実施形態において、合計６４個の８ビット値は、６４個の値のそれぞれが２つの１０６ＯＦＤＭトーンリソースユニットのそれぞれに割り当てられる特定数のクライアント局に対応する場合、２つの１０６ＯＦＤＭトーンリソースユニットを含むリソースユニット構成１５１０ａに対応する。
【００７５】
実施形態において、受信デバイスは、リソース割当表示に基づいて、データユニット２００の対応するサブバンド内のリソースユニットの数を決定する。実施形態において、受信デバイスは、もしあれば、リソースユニットのうちのどれがマルチユーザリソースユニットであるか、及び各マルチユーザリソースユニット内でスケジューリングされた特定のユーザ数をさらに決定する。実施形態において、そのような情報は、リソース割当表示を含む信号フィールドに含まれるユーザブロック数を受信デバイスが決定することを可能にし、従ってユーザブロックを確定的にデコードする。
【００７６】
図１６Ａ及び図１６Ｂは、実施形態に係るＭＵ−ＭＩＭＯリソースユニット及びＳＵリソースユニットにそれぞれ対応するユーザブロック１６００、１６５０のブロック図である。実施形態において、図１３Ｂのユーザブロック１３１０のそれぞれはユーザブロック１６００、１６５０のうちの一方に対応する。実施形態において、ユーザブロック１６００、１６５０は、同じビット数の固定長を有する。従って、実施形態において、例えば、図１３Ｂのユーザブロック１３１０は、ユーザ１３１０がシングルユーザリソースユニット又はマルチユーザリソースユニットに対応するか否かに関わらず同じビット数を含む。
【００７７】
まず図１６Ａを参照すると、ＭＵ‐ＭＩＭＯユーザブロック１６００は複数のサブフィールド１６０２を含む。例示的な実施形態によれば、各サブフィールド１６０２に割り当てられるビット数は、図１６Ａの対応するサブフィールド１６０２上に示される。他の実施形態において、他の好適なビット数がサブフィールド１６０２に割り当てられる。サブフィールド１６０２は、局識別子（ＳＴＡ‐ＩＤ）サブフィールド１６０２−２、開始ストリームインデックス１６０２−４、ユーザ（Ｎｓｔｓ［ｕ］）サブフィールド１６０２−６に対応する数の時空ストリーム、変調及び符号化スキーム（ＭＣＳ）サブフィールド１６０２−８、符号化サブフィールド１６０２−１０及びＣＲＣビット１６０２−１２を含む。実施形態において、ＳＴＡ‐ＩＤサブフィールド１６０２は、クライアント局２５のアソシエーション識別子（ＡＩＤ）又は部分的なＡＩＤのような、クライアント局２５の識別子を含む。開始ストリームインデックス１６０２は、ＳＴＡ‐ＩＤサブフィールド１６０２により示されるクライアント局２５に割り当てられる第１空間ストリーム、例えば、８つの可能な空間ストリーム又は４つの可能な空間ストリームの表示を含む。実施形態において、Ｎｓｔｓ［ｕ］サブフィールド１６０２−６は、ＳＴＡ‐ＩＤサブフィールド１６０２により示されるクライアント局２５に割り当てられる空間ストリームの数を示す。実施形態において、ＭＣＳサブフィールド１６０２−８は、ＳＴＡ‐ＩＤサブフィールド１６０２により示されるクライアント局２５へのデータの伝送のために用いられる変調及び符号化スキームを示し、符号化サブフィールド１６０２−１０は、クライアント局２５に対するデータをエンコードするためにＢＣＣ符号化又はＬＤＰＣ符号化が用いられるかのような符号化タイプを示す。実施形態において、ＣＲＣビット１６０２−１２は、様々なサブフィールド１６０２の正確性をチェックするためのＣＲＣビットを含む。
【００７８】
次に図１６Ｂを参照すると、ＳＵユーザブロック１６５０は、ＭＵ‐ＭＩＭＯユーザブロック１６００において開始ストリームインデックスサブフィールド１６０２−４のために用いられるビット及びＮｓｔｓ［ｕ］サブフィールド１６０２−６のために用いられるビットが、ＳＵユーザブロック１６５０においてＮｓｔｓサブフィールド１６５２−４、伝送ビームフォーミング（ＴｘＢＦ）サブフィールド１６５２−６及び時空ブロック符号化（ＳＴＢＣ）サブフィールド１６５２−８のために用いられることを除いて図１６ＡのＭＵ‐ＭＩＭＯユーザブロック１６００と概して同じである。実施形態において、Ｎｓｔｓサブフィールド１６５２−４は、クライアント局へのＳＵ伝送のためにＳＴＡ‐ＩＤサブフィールド１６０２−２により示される局２５に割り当てられる時空間又は時空ストリーム数の表示を含む。実施形態において、ＴｘＢＦサブフィールド１６５２−６及びＳＴＢＣサブフィールド１６５２−８は、伝送ビームフォーミングがクライアント局への伝送のために用いられるか否か、及び時空ブロック符号化がクライアント局への伝送のために用いられるか否かをそれぞれ示す。
【００７９】
図１６Ｃ及び図１６Ｄは、別の実施形態におけるＭＵ−ＭＩＭＯリソースユニット及びＳＵリソースユニットにそれぞれ対応するユーザブロック１６７０、１６９０のブロック図である。実施形態において、図１３Ｂのユーザブロック１３１０のそれぞれはユーザブロック１６７０、１６９０のうちの一方に対応する。実施形態において、ユーザブロック１６７０、１６９０は、同じビット数の固定長を有する。従って、実施形態において、例えば、図１３Ｂのユーザブロック１３１０は、ユーザ１３１０がシングルユーザリソースユニット又はマルチユーザリソースユニットに対応するか否かに関わらず同じビット数を含む。
【００８０】
まず図１６Ｃを参照すると、ＭＵ‐ＭＩＭＯユーザブロック１６７０は、ＭＵ‐ＭＩＭＯユーザブロック１６００において用いられる空間ストリーム割当表示とは異なり、ＭＵ‐ＭＩＭＯユーザブロック１６７０において空間ストリーム割当が示されることを除いて、図１６ＡのＭＵ‐ＭＩＭＯユーザブロック１６００に概して類似する。実施形態において、ＭＵ‐ＭＩＭＯユーザブロック１６００の事例のように、ＳＴＡ‐ＩＤサブフィールド１６０２−２により示されるクライアント局２５に対応する空間ストリーム割当を示すべく、開始ストリームインデックス及び空間ストリームの数を示すことの代わりに、ＭＵ‐ＭＩＭＯユーザブロック１６７０は、ＳＴＡ‐ＩＤサブフィールド１６０２−２により示されるクライアント局２５が一部であるＭＵ‐ＭＩＭＯ伝送に含まれる全てのクライアント局２５に対する空間ストリーム構成を示すことに用いられる単一の空間ストリーム表示を利用する。従って、実施形態において、ＭＵ‐ＭＩＭＯユーザブロック１６００における開始ストリームインデックス１６０２−４及びＮｓｔｓ［ｕ］サブフィールド１６０２−６は、ＭＵ‐ＭＩＭＯユーザブロック１６７０における単一のＮｓｔｓサブフィールド１６７０−４と置換えられる。
【００８１】
実施形態において、ＭＵ‐ＭＩＭＯ伝送に含まれるクライアント局２５は、クライアント局２５に割り当てられる空間ストリームの数が増加しない順に順序付けされる。従って、クライアント局は、Ｎｓｔｓ［１］≧Ｎｓｔｓ［２］≧・・・≧Ｎｓｔｓ［Ｎｕｓｅｒ］となるように順序付けされ、Ｎｕｓｅｒは、ＭＵ‐ＭＩＭＯ伝送に含まれるクライアント局２５の数である。実施形態において、クライアント局２５に対応するユーザブロックは対応順序で伝送される。この場合、ＭＵ‐ＭＩＭＯ伝送に含まれるクライアント局２５の最大数（「ｕｓｅｒｓ」）が４であり、４つの空間ストリームの最大が４である実施形態において、クライアント局２５に割り当てられる空間ストリームの数の可能な組み合わせの最大数は１２である。従って、この実施形態において、ＭＵ‐ＭＩＭＯ伝送に含まれる特定数のクライアント局２５（Ｎｕｓｅｒ）が与えられると、クライアント局２５に対応する特定の空間ストリーム割当を示すためには、Ｎｓｔｓサブフィールド１６７０−４では４ビットで十分である。同様に、最大ユーザ数が４であり、４つの空間ストリームの最大が８である実施形態において、クライアント局２５に割り当てられる空間ストリームの数の可能な組み合わせの最大数は１６である。従って、ＭＵ‐ＭＩＭＯ伝送に含まれる特定数のクライアント局２５（Ｎｕｓｅｒ）が与えられると、この実施形態において、クライアント局２５に対応する特定の空間ストリーム割当を示すために、Ｎｓｔｓサブフィールド１６７０−４では４ビットで十分である。
【００８２】
図１７Ａは、最大ユーザ数が４であり、４つの空間ストリームの最大が４である実施形態に係る可能な空間ストリーム割当の組み合わせ１７００を示す。可能な空間ストリーム割当の組み合わせ１７００は、複数のテーブル１７０２で編成されており、各テーブル１７０２は、ＭＵ‐ＭＩＭＯ伝送に含まれるユーザ数に対応する。図１６Ａを参照すると、実施形態において、Ｎｓｔｓサブフィールド１６０２−６は、実施形態におけるＳＴＡ‐ＩＤサブフィールド１６０２−２により示されるクライアント局２５が一部であるＭＵ‐ＭＩＭＯ伝送に含まれるクライアント局２５の数に対応する図１７Ａのテーブル１７０２で示される空間ストリーム割当の組み合わせを示す。図１７Ｂは、実施形態に係る、図１７Ａに示されるＮｓｔｓサブフィールド１７７０−４の４ビットの値と空間ストリーム割当の組み合わせとの間の対応を列挙するテーブル１７５０を示す。実施形態において、図１６ＣのＮｓｔｓサブフィールド１６７０−４は、図１７Ｂのテーブル１７５０に従って設定された４ビットを含む。
【００８３】
図１７Ｃは、最大ユーザ数が４であり、４つの空間ストリームの最大が８である実施形態に係る可能な空間ストリーム割当の組み合わせ１７７０を示す。可能な空間ストリーム割当の組み合わせ１７７０は、複数のテーブル１７７２で編成され、各テーブル１７７２は、ＭＵ‐ＭＩＭＯ伝送に含まれるユーザ数に対応する。図１６Ｃを参照すると、実施形態において、Ｎｓｔｓサブフィールド１６７０−４は、実施形態におけるＳＴＡ‐ＩＤサブフィールド１６０２−２により示されるクライアント局２５が一部であるＭＵ‐ＭＩＭＯ伝送に含まれるクライアント局２５の数に対応する図１７Ｃの特定のテーブル１７７２に示される空間ストリーム割当の組み合わせを示す。
【００８４】
次に図１６Ｄを参照すると、ＳＵ‐ＭＩＭＯユーザブロック１６９０は、ＳＵ‐ＭＩＭＯユーザブロック１６９０がＳＴＢＣサブフィールド１６５２−８を省略することを除いて、図１６ＢのＳＵ‐ＭＩＭＯユーザブロック１６５０に概して類似する。一時的に図１３Ａを参照すると、実施形態において、時空ブロック符号化表示は共通ブロック１３０２に含まれる。実施形態において、共通ブロック１３０２に含まれる時空ブロック符号化表示は、データがデータユニット２００で伝送される全てのクライアント局２５に適用される。再び図１６Ｃ−図１６Ｄを参照すると、別の実施形態において、ＭＵ‐ＭＩＭＯユーザブロック１６７０及びＳＵ‐ＭＩＭＯユーザブロック１６９０はそれぞれ、ＳＴＢＣサブフィールド１６５２−８のようなＳＴＢＣサブフィールドを含む。従って、この実施形態では、ＭＵ‐ＭＩＭＯユーザブロック１６７０及びＳＵ‐ＭＩＭＯユーザブロック１６９０の等しい長さが維持される。
【００８５】
図１３Ａ−図１３Ｂに戻って参照すると、様々な実施形態において、共通ブロック１３０２及びユーザブロック１３１０は一緒に、個別に、又はグループでエンコードされる。図１８Ａ−図１８Ｃは、いくつかの実施形態に係る共通ブロック１３０２及びユーザブロック１３１０−２をエンコードするための異なるエンコードスキームを示す図である。まず図１８Ａを参照すると、実施形態において、共通ブロック１８０２は図１３Ａの共通ブロック１３０２に対応し、ユーザブロック１８０４は図１３Ｂのユーザブロック１３１０に対応する。図示された実施形態において、共通ブロック１８０２、及びユーザブロック１８０４のそれぞれは分離ブロック１８０６としてそれぞれエンコードされる。実施形態において、共通ブロック１８０２及びユーザブロック１８０４はＢＣＣエンコーディングを用いてエンコードされる。図１８Ａに示されるように、実施形態において、エンコードされたブロック１８０６はそれぞれのＣＲＣビット及びそれぞれのテールビットを含む。別の実施形態において、共通ブロック１８０２及びユーザブロック１８０４はＴＢＣＣエンコーディングを用いてエンコードされる。この実施形態では、エンコードされたブロック１８０６はテールビットを省略する。
【００８６】
次に図１８Ｂを参照すると、実施形態において、共通ブロック１８５２は図１３Ａの共通ブロック１３０２に対応し、ユーザブロック１８５４は図１３Ｂのユーザブロック１３１０に対応する。図１８Ｂの実施形態において、共通ブロック１８５２は第１ブロック１８５６−１としてエンコードされ、ユーザブロック１８５４は第２ブロック１８５６−２としてまとめてエンコードされる。実施形態において、共通ブロック１８５２及びユーザブロック１８５４はＢＣＣエンコーディングを用いてエンコードされる。図１８Ｂに示されるように、実施形態において、エンコードされたブロック１８５６は、それぞれのＣＲＣビット及びそれぞれのテールビットを含む。別の実施形態において、共通ブロック１８５２及びユーザブロック１８５４はＴＢＣＣエンコーディングを用いてエンコードされる。この実施形態では、エンコードされたブロック１８５６はテールビットを省略する。
【００８７】
次に図１８Ｃを参照すると、実施形態において、共通ブロック１８７２は図１３Ａの共通ブロック１３０２に対応し、ユーザブロック１８７４は図１３Ｂのユーザブロック１３１０に対応する。図１８Ｃの実施形態において、共通ブロック１８７２は第１ＢＣＣブロック１８７６−１としてエンコードされ、ユーザブロック１８７４はＫ個のユーザブロック１８７４からなるグループでエンコードされており、Ｋ個のユーザブロック１８７４からなる各グループは分離ＢＣＣブロック１８７６としてエンコードされ、Ｋは正の整数である。実施形態において、Ｋはゼロより大きい予め定められた整数である。別の実施形態において、Ｋは設定変更可能である。例えば、実施形態において、ＡＰは単一のＢＣＣブロックとしてエンコードされるべきユーザブロックの任意の好適な数Ｋを選択又は決定し、決定又は選択した数Ｋを明示的又は暗黙的にクライアント局２５へ通知する。実施形態において、信号フィールド内のユーザブロック１８７４の数ＮがＫで割り切れない場合、次に、最後のＬ個のユーザブロック１８７４が分離ブロック１８７６としてエンコードされ、Ｌは正の整数であり、Ｌ＜Ｋである。図１８Ｃの実施形態において、Ｋは２に等しく、Ｌは１に等しい。図示された実施形態において、２つのユーザブロック１８７４からなる各グループは、最後の１つのユーザブロック１８７４を除いて、分離ＢＣＣブロック１８７６としてエンコードされ、最後のユーザブロック１８７４は、分離ＢＣＣブロック１８７６として個別にエンコードされる。他の実施形態及び／又はシナリオにおいて、Ｋは２以外の好適な整数（例えば、３、４、５、６等）であり、信号フィールド内のユーザブロック１８７４の数に応じてＬは１以外の整数（例えば、０、２、３、４、５、６等）である。
【００８８】
いくつかの実施形態において、ユーザブロック１８７４は、必ずしも等しい数のユーザブロック１８７４を含むとは限らないグループでエンコードされる。実施形態において、例として、複数のユーザブロック１８７４は、（例えば、４８４ＯＦＤＭトーンリソースユニットを用いて）２０ＭＨｚより大きい帯域幅を介したＭＵ‐ＭＩＭＯ伝送に含まれるクライアント局に対応しており、これらユーザブロック１８７４は、単一ブロックとしてエンコードされるグループからのものである。別の例として、実施形態において、特定の１又は複数の２０ＭＨｚチャネルに対応する第１の数のユーザブロック１８７４は、第１の単一ブロックとしてエンコードされる第１グループからのものであり、１又は複数の他の２０ＭＨｚチャネルに対応する第２の数のユーザブロック１８７４は、第２の単一ブロックとしてエンコードされる第２グループからものであり、ユーザブロック１８７４の第１の数は、必ずしもユーザブロック１８７４の第２の数と同じとは限らない。
【００８９】
実施形態において、共通ブロック１８７２及びユーザブロック１８７４はＢＣＣエンコーディングを用いてエンコードされる。図１８Ｃに示されるように、実施形態において、エンコードされたブロック１８７６は、それぞれのＣＲＣビット及びそれぞれのテールビットを含む。別の実施形態において、共通ブロック１８７２及びユーザブロック１８７４はＴＢＣＣエンコーディングを用いてエンコードされる。この実施形態では、エンコードされたブロック１８７６はテールビットを省略する。
【００９０】
図１３Ａ−図１３Ｂに戻って参照すると、いくつかの実施形態及び／又はシナリオにおいて、信号フィールド１３００内のエンコードされた情報ビットが整数個のＯＦＤＭシンボルを完全に埋めることを確保するように１又は複数のパディングビットが信号フィールド１３００に含まれる。実施形態において、情報ビットをエンコードする前に、信号フィールド１３００に含まれる情報ビットのセットに１又は複数のパディングビットが追加（例えば、付加）される。別の実施形態において、情報ビットをエンコードした後に、信号フィールド１３００に含まれる情報ビットのセットに１又は複数のパディングビットが追加（例えば、付加）される。図１９は、実施形態に係る、エンコードする前に情報ビットに追加される１又は複数のパディングビットを含む信号フィールド１９００のブロック図である。実施形態において、信号フィールド１９００は図１３Ａの信号フィールド１３００に対応する。図１９の実施形態において、信号フィールド１９００に含まれるユーザブロックは、図１８Ｃに関して説明したように、ユーザブロックのグループ１９０２でエンコードされる。実施形態では、エンコードする前に、テールビット１９０４（例えば、６個のゼロテールビット）が、ユーザブロックの各グループ１９０２に対応するそれぞれの情報ビットのセットの後に挿入される。また、エンコードする前に、複数のパディングビットが、最後のユーザブロック１９０２に対応する情報ビット及びテールビットの後に挿入される。実施形態において、挿入されるパディングビットの数は、エンコードされた後のパディングビット１９０６がＯＦＤＭシンボルの境界までＯＦＤＭシンボルを埋めるように決定される。実施形態において、パディングビット１９０６は疑似ランダムパディングビットを含む。別の実施形態において、パディングビット１９０６は、信号フィールド１９００内の１又は複数の情報ビットの繰り返しを含む。いくつかの実施形態において、最後の６つのパディングビット１９０６、又は、パディングビット１９０６の数が６より少ない若しくは６に等しい場合は全てのパディングビット１９０６はゼロに設定される。
【００９１】
実施形態において、特定の信号フィールドｉに追加されるパディングビットの数は以下の数式に従って決定される。
【数１】
0006459015.tif 000002
数式１
【数２】
0006459015.tif 000003
数式２
であり、
【数３】
0006459015.tif 000004
は、ユーザブロックが信号フィールド（ｉ）に含まれるクライアント局の数であり、
Ｌｕｓｅｒは、ユーザブロックのそれぞれにおける（ＣＲＣビットを除いた）ビット数であり、
【数４】
0006459015.tif 000005
は、信号フィールド（ｉ）に含まれる共通ブロック内の（ＣＲＣビットを除いた）ビット数であり、
【数５】
0006459015.tif 000006
は、信号フィールド（ｉ）に含まれるＣＲＣビットの総数である。
【００９２】
実施形態において、信号フィールド１９００を受信する受信デバイスはまず、共通ブロック１９０２をデコードし、共通ブロック１９０２に含まれるリソースユニット割当表示に基づいて、信号フィールド１９００にユーザブロックが含まれるクライアント局の数を決定する。受信デバイスは、数式１及び数式２に従って信号フィールド１９００内のパディングビット１９０６の数を決定し、
【数６】
0006459015.tif 000007
は、共通ブロック１９０２に含まれるリソースユニット割当表示に基づいて決定されるクライアント局の数である。
【００９３】
信号フィールドに含まれるストリーム情報ビットにパディングビットが追加される実施形態において、情報ビットをエンコードした後に、上記の数式１及び数式２を用いることにより、さらに以下の数式を用いることにより、伝送デバイス及び受信デバイスの両方においてパディングビットの数が決定される。
【数７】
0006459015.tif 000008
数式３
Ｒは、情報ビットをエンコードすることに用いられる符号化レートである。
【００９４】
図２０は、実施形態に係る、本明細書で説明される複数のＨＥ‐ＳＩＧ‐Ｂフィールドのうちの１つのような信号フィールドを生成するように構成される例示的なＰＨＹ処理ユニット２０００の伝送部分についてのブロック図である。図１を参照すると、一実施形態において、ＡＰ１４のＰＨＹ処理ユニット２０及びクライアント局２５−１のＰＨＹ処理ユニット２９はそれぞれ、ＰＨＹ処理ユニット２０００を含む、及び／又は、ＰＨＹ処理ユニット２０００の処理を実行するように構成される。ＰＨＹ処理ユニット２０００は、ＨＥ‐ＳＩＧ‐Ｂフィールド（例えば、信号フィールドビット）に含まれる情報ビット（例えば、ＰＨＹ関連ビット）を生成する。いくつかの実施形態において、ＰＨＹ処理ユニット２０００はテールビットを信号フィールドビットに追加するように構成される。エンコーダ２００２は情報ビットをエンコードする。実施形態において、エンコーダ２００２はＢＣＣエンコーダである。別の実施形態において、エンコーダ２００２は別の好適なタイプのエンコーダ（例えば、ＬＤＰＣ）エンコーダである。エンコーダ２００２がＢＣＣエンコーダである実施形態において、エンコーダ２００２は１／２の符号化レートを利用する。他の実施形態において、他の好適な符号化レートが利用される。
【００９５】
ＢＣＣエンコーダ２００２の出力はインタリーバ２００４に結合される。インタリーバ２００４は、ビットをインタリーブ（すなわち、ビットの順序を変更）して、隣接するノイズの多いビットの長いシーケンスが受信機のデコーダに入力されることを防ぐ。より具体的には、インタリーバ２００４は、周波数領域又は時間領域内の非隣接位置に（エンコーダ２００２によりエンコードされた）隣接ビットをマッピングする。ＨＥ‐ＳＩＧ‐Ｂフィールドの複数のコピーがデータユニットに含まれるように、ＨＥ‐ＳＩＧ‐Ｂフィールドが複製される実施形態において、インタリーバ２００４は信号フィールドの１つのコピーに対応する帯域幅に作用する。例として、４０ＭＨｚに対応する信号フィールドコンテンツが８０ＭＨｚ幅のデータユニットに含まれるように複製される実施形態において、インタリーバ２００４は４０ＭＨｚ帯域幅内に作用する。いくつかの実施形態において、インタリーバ２００４は省略される。
【００９６】
インタリーバ２００４（又は、ＢＣＣインタリーバ２００４が省略されている場合はエンコーダ２００２）の出力はコンスタレーションマッパ２００６に結合される。実施形態において、コンスタレーションマッパ２００６は、ＯＦＤＭシンボルの異なるサブキャリア／トーンに対応するコンスタレーションポイントにビットをマッピングする。実施形態において、コンスタレーションマッパ２００６は、変調されるビットの周波数領域表現に対応する変調データを生成する。例えば、実施形態において、コンスタレーションマッパ２００６は二位相偏移変調（ＢＰＳＫ）コンスタレーションポイントにビットをマッピングする。他の実施形態において、コンスタレーションマッパ２００６は、位相偏移変調（ＰＳＫ）、直交振幅変調（ＱＡＭ）、例えば、４ＱＡＭ、１６ＱＡＭ、６４ＱＡＭ、１２８ＱＡＭ、２５６ＱＡＭ等のような、他の好適な変調スキームに対応するコンスタレーションポイントにビットをマッピングする。
【００９７】
コンスタレーションマッパ２００６の出力はトーンマッパ２００８に提供される。実施形態において、トーンマッパ２００８は、ＨＥ‐ＳＩＧ‐ＢフィールドのＯＦＤＭトーンにコンスタレーションポイントをマッピングする。実施形態において、トーンマッパ２００８はダイレクトトーンマッピングを利用する。この実施形態では、トーンマッパ２００８はＨＥ‐ＳＩＧ‐Ｂフィールドの連続的な「有用」又は「データ」ＯＦＤＭトーンに、連続的なコンスタレーションポイントをマッピングする。他の実施形態において、ＨＥ‐ＳＩＧ‐Ｂフィールドの不連続な有用ＯＦＤＭトーン上に連続的なコンスタレーションポイントをマッピングすることにより、トーンマッパ２００８は、ＨＥ‐ＳＩＧ‐ＢフィールドのＯＦＤＭトーンを「再順序付け」する。ＨＥ‐ＳＩＧ‐Ｂフィールドの複数のコピーがデータユニットに含まれるようにＨＥ‐ＳＩＧ‐Ｂフィールドが複製される実施形態において、トーンマッパ２００８は信号フィールドの１つのコピーに対応する帯域幅に作用する。例として、４０ＭＨｚに対応する信号フィールドコンテンツが８０ＭＨｚ幅のデータユニットに含まれるように複製される実施形態において、トーンマッパ２００８は４０ＭＨｚ帯域幅内に作用する。いくつかの実施形態において、トーンマッパ２００８は省略される。
【００９８】
ＨＥ‐ＳＩＧ‐Ｂフィールドが複製される実施形態において、トーンマッパ２００８（又は、トーンマッパ２００８が省略されている場合はコンスタレーションマッパ２００６）の出力は複製モジュール２０１０に提供される。信号フィールドコンテンツがデータユニットの帯域幅全体を占有するように、複製モジュール２０１０は信号フィールドコンテンツを複製する。例として、実施形態において、ＨＥ‐ＳＩＧ‐Ｂフィールドがデータユニットの８０ＭＨｚに広がるように、複製モジュールは、４０ＭＨｚ帯域幅に広がるＨＥ‐ＳＩＧ‐Ｂ信号フィールドコンテンツを複製する。ＨＥ‐ＳＩＧ‐Ｂフィールドが複製されない（例えば、ＨＥ‐ＳＩＧ‐Ｂコンテンツがデータユニットの帯域幅全体に広がる）実施形態において、複製モジュール２０１０は省略される。
【００９９】
複製モジュール２０１０の出力（若しくは、複製モジュール２０１０が省略されている場合にはトーンマッパ２００８の出力、又は、トーンマッパ２００８及び複製モジュール２０１０の両方が省略されている場合にはコンスタレーションマッパ２００６の出力）は、逆離散時間フーリエ変換（ＩＤＦＴ）計算ユニット２０１２（例えば、逆高速フーリエ変換（ＩＦＦＴ）計算ユニット）に提供される。ＩＦＦＴユニット２０１２は、コンスタレーションポイントのブロックを時間領域信号に変換する。実施形態において、ＩＤＦＴ計算ユニット２０１２に作用するコンスタレーションポイントのブロックは、全てのデータユニットの帯域幅全体に対応する。
【０１００】
ＩＦＦＴユニット２０１２の出力は、ガードインターバル（ＧＩ）部分をＯＦＤＭシンボルの先頭に追加するＧＩ挿入及びウィンドウユニット２０１４に提供され、ＧＩ挿入及びウィンドウユニット２０１４は、実施形態におけるＯＦＤＭシンボルの循環拡張であり、ＯＦＤＭシンボルのエッジを滑らかにしてスペクトル遅延を増大させる。ＧＩ挿入及びウィンドウユニット２０１４の出力は、信号をアナログ信号に変換し、信号を伝送用の無線周波数（ＲＦ）周波数へとアップコンバートするアナログ及びＲＦユニット２０１６に提供される。信号は伝送され、データユニットの帯域幅全体に広がる。
【０１０１】
図２１は、実施形態に係る、本明細書で説明される複数のＨＥ‐ＳＩＧ‐Ｂフィールドのうちの１つのような信号フィールドを生成するように構成される例示的なＰＨＹ処理ユニット２１００の伝送部分についてのブロック図である。図１を参照すると、一実施形態において、ＡＰ１４のＰＨＹ処理ユニット２０及びクライアント局２５−１のＰＨＹ処理ユニット２９はそれぞれ、ＰＨＹ処理ユニット２１００を含む、及び／又は、ＰＨＹ処理ユニット２１００の処理を実行するように構成される。ＰＨＹ処理ユニット２１００は、ＰＨＹ処理ユニット２１００において、ＨＥ‐ＳＩＧ‐Ｂコンテンツの複製がコンスタレーションポイントレベルの代わりにビットレベルで実行されることを除いて、図２０のＰＨＹ処理ユニット２０００と概して類似する。従って、実施形態において、ＰＨＹ処理ユニット２１００は、コンスタレーションマッパ２１０６の前に複製モジュール２１１０を含み、複製モジュール２０１０を省略する。さらに、実施形態において、ＨＥ‐ＳＩＧ‐Ｂコンテンツの複製がコンスタレーションマッピング及びもし用いられるのであれば、トーンマッピングの前に実行されるので、コンスタレーションマッパ２１０６及び、もし用いられるのであれば、トーンマッパ２１０８が、それぞれデータユニットの帯域幅全体に作用する。
【０１０２】
図２２は、実施形態に係る、本明細書で説明される複数のＨＥ‐ＳＩＧ‐Ｂフィールドのうちの１つのような信号フィールドを生成するように構成される例示的なＰＨＹ処理ユニット２２００の伝送部分についてのブロック図である。図１を参照すると、一実施形態において、ＡＰ１４のＰＨＹ処理ユニット２０及びクライアント局２５−１のＰＨＹ処理ユニット２９はそれぞれ、ＰＨＹ処理ユニット２２００を含む、及び／又は、ＰＨＹ処理ユニット２２００の処理を実行するように構成される。ＰＨＹ処理ユニット２２００は、ＰＨＹ処理ユニット２２００において、インタリーバ２００４がセグメントパーサ２２０２及び複数のインタリーバ２２０４の２種類に置換えられていることを除いて、図２０のＰＨＹ処理ユニット２０００と概して類似する。複数のインタリーバ２２０４のそれぞれは、ＨＥ‐ＳＩＧ‐Ｂコンテンツにより広げられる帯域幅のそれぞれのサブバンドに作用する。従って、例えば、ＨＥ‐ＳＩＧ‐Ｂコンテンツが４０ＭＨｚに広がる実施形態において、ＰＨＹ処理ユニット２２００は、４０ＭＨｚ帯域幅の各２０ＭＨｚサブバンドにそれぞれが作用する２つのインタリーバ２２０４を含む。
【０１０３】
図２３は、実施形態に係る、本明細書で説明される複数のＨＥ‐ＳＩＧ‐Ｂフィールドのうちの１つのような信号フィールドを生成するように構成される例示的なＰＨＹ処理ユニット２３００の伝送部分についてのブロック図である。図１を参照すると、一実施形態において、ＡＰ１４のＰＨＹ処理ユニット２０及びクライアント局２５−１のＰＨＹ処理ユニット２９はそれぞれ、ＰＨＹ処理ユニット２３００を含む、及び／又は、ＰＨＹ処理ユニット２３００の処理を実行するように構成される。ＰＨＹ処理ユニット２３００は、ＰＨＹ処理ユニット２３００においてコンスタレーションポイントの複製が、ＨＥ‐ＳＩＧ‐Ｂフィールドのコピーのうちの１又は複数を再マッピングするコンスタレーションポイントと組み合わされることを除いて、図２０のＰＨＹ処理ユニット２０００と概して類似する。この目的を達成するために、実施形態において、図２０のＰＨＹ処理ユニット２０００の複製モジュール２０１０は、ＰＨＹ処理ユニット２３００において複製モジュール２３１０と置換えられる。複製モジュール２３１０により生成されたコピーに対応するキャスタレーションポイントを他の好適なコンスタレーションポイントに再マッピングしてＨＥ‐ＳＩＧ‐Ｂフィールド内のダイバーシティを増大させるコンスタレーション再マッピングモジュール２３１２を複製モジュール２３１０が含むことを除いて、複製モジュール２３１０は図２０の複製モジュール２０１０と概して同じである。実施形態において、コンスタレーション再マッピングモジュール２３１２は、複製モジュール２３１０により生成されたコピーに対応する各コンスタレーションポイントのサインを変更する。他の実施形態において、他の好適な再マッピング技術が利用される。
【０１０４】
図２４は、実施形態に係る、本明細書で説明される複数のＨＥ‐ＳＩＧ‐Ｂフィールドのうちの１つのような信号フィールドを生成するように構成される例示的なＰＨＹ処理ユニット２４００の伝送部分についてのブロック図である。図１を参照すると、一実施形態において、ＡＰ１４のＰＨＹ処理ユニット２０及びクライアント局２５−１のＰＨＹ処理ユニット２９はそれぞれ、ＰＨＹ処理ユニット２４００を含む、及び／又は、ＰＨＹ処理ユニット２４００の処理を実行するように構成される。ＰＨＹ処理ユニット２４００は、ＰＨＹ処理ユニット２３００におけるコンスタレーションポイントの複製がＨＥ‐ＳＩＧ‐Ｂフィールドのコピーのうちの１又は複数を再マッピングするコンスタレーションポイントと組み合わされることを除いて、図２２のＰＨＹ処理ユニット２２００に概して類似する。この目的を達成するために、実施形態において、図２２のＰＨＹ処理ユニット２２００の複製モジュール２０１０は、ＰＨＹ処理ユニット２４００において、図２３のコンスタレーション再マッピングモジュール２３１２を含む複製モジュール２３１０と置換えられる。
【０１０５】
図２５は、実施形態に係る、本明細書で説明される複数のＨＥ‐ＳＩＧ‐Ｂフィールドのうちの１つのような信号フィールドを生成するように構成される例示的なＰＨＹ処理ユニット２５００の伝送部分についてのブロック図である。図１を参照すると、一実施形態において、ＡＰ１４のＰＨＹ処理ユニット２０及びクライアント局２５−１のＰＨＹ処理ユニット２９はそれぞれ、ＰＨＹ処理ユニット２５００を含む、及び／又は、ＰＨＹ処理ユニット２５００の処理を実行するように構成される。ＰＨＹ処理ユニット２５００は、ＰＨＹ処理ユニット２５００におけるビットレベルの複製がＨＥ‐ＳＩＧ‐Ｂフィールドのコピーをマッピングする異なるコンスタレーションポイントと組み合わされることを除いて、図２１のＰＨＹ処理ユニット２１００と概して類似する。従って、図２１のＰＨＹ処理ユニット２１００のコンスタレーションマッパ２１０６は、ＰＨＹ処理ユニット２５００において、複製モジュール２１１０により生成されるＨＥ‐ＳＩＧ‐Ｂのコピーに対応する複数のキャスタレーションポイントマッパ２５０６と置換えられる。実施形態において、複数のキャスタレーションポイントマッパ２５０６の異なるものが異なるコンスタレーションポイントマッピングスキームを用いる。単なる例として、実施形態において、コンスタレーションポイントマッパ２５０６−１はＢＰＳＫマッピングを利用するが、コンスタレーションマッパ２５０６−２は９０度（又は１８０度）位相変化されるＢＰＳＫ変調を利用する。他の実施形態では、他の好適なキャスタレーションポイントマッピングスキームがコンスタレーションマッパ２５０６−１及び／又はコンスタレーションマッパ２５０６−２により利用される。
【０１０６】
図２６は、実施形態に係る、本明細書で説明される複数のＨＥ‐ＳＩＧ‐Ｂフィールドのうちの１つのような信号フィールドを生成するように構成される例示的なＰＨＹ処理ユニット２６００の伝送部分についてのブロック図である。図１を参照すると、一実施形態において、ＡＰ１４のＰＨＹ処理ユニット２０及びクライアント局２５−１のＰＨＹ処理ユニット２９はそれぞれ、ＰＨＹ処理ユニット２６００を含む、及び／又は、ＰＨＹ処理ユニット２６００の処理を実行するように構成される。ＰＨＹ処理ユニット２６００は、いくつかの例外を除いて、図２１のＰＨＹ処理ユニット２１００に概して類似する。ＰＨＹ処理ユニット２６００は複数のエンコーダ２６０２を含む。実施形態において、各エンコーダ２６０２は図２０のエンコーダ２００２と同じである又は類似する。実施形態において、各エンコーダ２６０２はＨＥ‐ＳＩＧ‐Ｂフィールドの情報ビットの部分に作用する。単なる例として、図１８Ｃを参照すると、実施形態において、各エンコーダ２６０２は、特定のブロック１８７６−２に含まれるように対応するＫ個のユーザブロックに作用する。さらに又は代わりに、単なる別の例として、図３を参照すると、実施形態において、エンコーダ２６０２の異なるものは、ＨＥ‐ＳＩＧ‐Ｂ１及びＨＥ‐ＳＩＧ‐Ｂ２の異なる信号フィールドコンテンツに作用する。さらに別の例として、図１１Ａ−図１１Ｆを参照すると、エンコーダ２６０２の異なるものは、ＨＥ‐ＳＩＧ‐Ｂの異なる部分に対して異なる符号化レートを利用する。例えば、例示的な実施形態において、第１エンコーダ２６０２はレートＲを利用して、競合するＨＥ‐ＳＩＧ‐Ｂにおいて伝送される情報ビットをエンコードするが、第２エンコーダ２６０２はレート２Ｒを利用して、部分的なＨＥ‐ＳＩＧ‐Ｂにおいて伝送される情報ビットをエンコードする。
【０１０７】
エンコーダ２６０２の出力は、任意の適切な順序でエンコードされたビットを連結する連結モジュール２６０４に提供される。連結モジュール２６０４の出力はセグメントパーサ２６０６に提供される。実施形態において、セグメントパーサ２６０６は、エンコードされ、かつ、連結されたビットを、ＨＥ‐ＳＩＧ‐Ｂフィールドのそれぞれの周波数サブバンドに対応する複数のセグメントにパース（ｐａｒｓｅ）する。例として、実施形態において、セグメントパーサ２６０６は、エンコードされ、かつ、連結されたビットを、ＨＥ‐ＳＩＧ‐Ｂフィールドの２０ＭＨｚサブバンドに対応するセグメントにパースする。実施形態において、セグメントのそれぞれは、それぞれのインタリーバ２６０８、それぞれのコンスタレーションマッパ２６１０及びそれぞれのトーンマッパ２６１２により作用される。実施形態において、各インタリーバ２６０８、各コンスタレーションマッパ２６１０及び各トーンマッパ２６１２は、図２０のインタリーバ２００４、コンスタレーションマッパ２００６及びトーンマッパ２００８とそれぞれ同じである、又は類似する。実施形態において、各インタリーバ２６０８は、ＩＥＥＥ８０２．１１ａ、ＩＥＥＥ８０２．１１ｎ、及びＩＥＥＥ８０２．１１ａｃ規格のようなレガシ通信プロトコルにより２０ＭＨｚチャネルについて規定されたインタリーブパラメータを利用する。同様に、実施形態において、各トーンマッパ２６１２は、ＩＥＥＥ８０２．１１ａ、ＩＥＥＥ８０２．１１ｎ、及びＩＥＥＥ８０２．１１ａｃ規格のようなレガシ通信プロトコルにより２０ＭＨｚチャネルについて規定されたトーンマッピングパラメータを利用する。いくつかの実施形態において、インタリーバ２６０８及び／又はトーンマッパ２６１２が省略される。
【０１０８】
図２７は、実施形態に係る、本明細書で説明される複数のＨＥ‐ＳＩＧ‐Ｂフィールドのうちの１つのような信号フィールドを生成するように構成される例示的なＰＨＹ処理ユニット２７００の伝送部分についてのブロック図である。図１を参照すると、一実施形態において、ＡＰ１４のＰＨＹ処理ユニット２０及びクライアント局２５−１のＰＨＹ処理ユニット２９はそれぞれ、ＰＨＹ処理ユニット２７００を含む、及び／又は、ＰＨＹ処理ユニット２７００の処理を実行するように構成される。実施形態において、ＰＨＹ処理ユニット２７００は、ＰＨＹ処理ユニット２６００においける複数のインタリーバ２６０８及び複数のキャスタレーションマッパ２６１０が単一のインタリーバ２７０８及び単一のコンスタレーションマッパ２７１０とそれぞれ置換えられることを除いて、図２６のＰＨＹ処理ユニット２６００に概して類似する。実施形態において、インタリーバ２７０８はＨＥ‐ＳＩＧ‐Ｂフィールドの帯域幅全体にわたって作用する。実施形態において、インタリーバ２７０８はＨＥ‐ＳＩＧ‐Ｂフィールドの帯域幅に応じて異なるインタリーブパラメータを利用する。
【０１０９】
図２８は、実施形態に係る、本明細書で説明される複数のＨＥ‐ＳＩＧ‐Ｂフィールドのうちの１つのような信号フィールドを生成するように構成される例示的なＰＨＹ処理ユニット２８００の伝送部分についてのブロック図である。図１を参照すると、一実施形態において、ＡＰ１４のＰＨＹ処理ユニット２０及びクライアント局２５−１のＰＨＹ処理ユニット２９はそれぞれ、ＰＨＹ処理ユニット２８００を含む、及び／又は、ＰＨＹ処理ユニット２８００の処理を実行するように構成される。実施形態において、ＰＨＹ処理ユニット２８００は、ＰＨＹ処理ユニット２８００がデュアルキャリア変調（ＤＣＭ）をＨＥ‐ＳＩＧ‐Ｂフィールドのサブバンドの少なくともいくつかに適用することを除いて、図２７のＰＨＹ処理ユニット２７００と概して類似する。説明しやすくするために、図示された実施形態において、ＰＨＹ処理ユニット２８００は４つの２０ＭＨｚサブバンドを有する８０ＭＨｚ幅のＨＥ‐ＳＩＧ‐Ｂフィールドを生成する。他の実施形態において、同様の技術が他の信号フィールド帯域幅に適用される。図示された実施形態において、ＰＨＹ処理ユニット２８００は、４つの２０ＭＨｚサブバンドのうちの２つに対応する２つのＤＣＭ（例えば、コンジュゲーション）モジュール２８０２を含む。実施形態において、各ＤＣＭモジュール２８０２は、４つの２０ＭＨｚサブバンドの他の２つのうちのそれぞれのものに対応するコンスタレーションポイントのコピーに好適なマッピング（例えば、コンジュゲーション）を適用する。
【０１１０】
図２９Ａ−図２９Ｂは、様々な実施形態において、図２−図１０のデータユニットのうちの１又は複数に含まれるそれぞれの信号フィールドについてのブロック図である。図２９Ａを参照すると、様々な実施形態において、信号フィールド２９００は、図２−図１０の少なくともいくつかに関して上述したＨＥ‐ＳＩＧ‐Ａフィールドのうちの１つのようなＨＥ‐ＳＩＧ‐Ａフィールドに対応する。信号フィールド２９００は複数のサブフィールド２９０２を含む。例示的な実施形態によれば、サブフィールド２９０２に対するビット割当が図２９Ａのサブフィールド２９０２上に示される。他の実施形態において、他のビット割当がサブフィールド２９０２に用いられる。サブフィールド２９０２は、ヌメロロジーサブフィールド２９０２−２、帯域幅（ＢＷ）サブフィールド２９０２−４、基本サービスセット（ＢＳＳ）カラーサブフィールド２９０２−６、パケットタイプサブフィールド２９０２−８、リソース割当サブフィールド２９０２−１０、予約サブフィールド２９０２−１２、割当毎サブフィールド２９０２−１４、巡回冗長検査（ＣＲＣ）サブフィールド２９０２−１６、及びテールビット２９０２−１８を含む。実施形態において、リソース割当サブフィールド２９０２−１０は、信号フィールド２９００を含むデータユニット内のデータの伝送のために割り当てられる複数のリソースユニットを示し、割当毎サブフィールド２９０２−１４は、それ自身が、リソース割当サブフィールド２９０２−１０により示される異なるリソースユニットに対応する複数のサブフィールドを含む。例えば、図示された実施形態において、割当毎サブフィールド２９０２−１４は、リソース割当サブフィールド２９０２−１０により示される各リソースユニットに対応するＳＴＡ‐ＩＤサブフィールド２９０２−１４ａ、それぞれのＳＴＢＣサブフィールド２９０２−１４ｂ、それぞれのＴｘＢＦサブフィールド２９０２−１４ｃ及びそれぞれのＮｓｔｓサブフィールド２９０２−１４ｄを含む。
【０１１１】
次に図２９Ｂを参照すると、様々な実施形態において、信号フィールド２９５０は、図２−図１０の少なくともいくつかに関して上述したＨＥ‐ＳＩＧ‐Ｂフィールド及び／又はＨＥ‐ＳＩＧ‐Ｃフィールドのうちの１つのようなＨＥ‐ＳＩＧ‐Ｂフィールド及び／又はＨＥ‐ＳＩＧ‐Ｃフィールドに対応する。実施形態において、図２９Ｂの信号フィールド２９５０は図２９Ａの信号フィールド２９００とともに用いられる。信号フィールド２９５０は複数のサブフィールド２９５２を含む。例示的な実施形態によれば、サブフィールド２９５２に対するビット割当が図２９Ｂのサブフィールド２９５２上に示される。他の実施形態において、他のビット割当がサブフィールド２９５２に用いられる。実施形態において、サブフィールド２９５２は、図２９Ａのリソース割当サブフィールド２９０２−１０により示される各リソースユニットに対応するそれぞれの符号化サブフィールド２９５２−２及びそれぞれのＭＣＳサブフィールド２９５２−４を含む。実施形態において、サブフィールド２９５２は、ＣＲＣビット２９５２−６及びテールビット２９５２−８も含む。いくつかの実施形態において、ＣＲＣビット２９５２−６及び／又はテールビット２９５２−８は信号フィールド２９５０から省略される。
【０１１２】
様々な実施形態において、図２９Ａのサブフィールド２９０２及び図２９Ｂのサブフィールド２９５２のうちの少なくともいくつかは、図１２−図１７Ｃに関して上述した対応するサブフィールドと同じである、又は類似する。
【０１１３】
いくつかの実施形態において、異なる信号フィールド間のサブフィールド２９０２、２９５２の分布が図２９Ａ−Ｂに示される実施形態と比較して異なる、及び／又は、１又は複数のサブフィールド２９０２、２９５２が信号フィールド２９００、２９５０から省略される、及び／又は、１又は複数の追加のサブフィールドが信号フィールド２９００及び／又は信号フィールド２９５０に含まれる。例えば、実施形態において、ＳＴＡ‐ＩＤサブフィールド２９０２−１４ａは、信号フィールド２９００から省略され、代わりに、信号フィールド２９５０の対応する割当サブフィールド２９５２−２に含まれる。いくつかの実施形態において、Ｎｓｔｓサブフィールド２９０２−１４ｄは、信号フィールド２９００から省略され、代わりに、信号フィールド２９５０の対応する割当毎サブフィールド２９５２に含まれる。いくつかのそのような実施形態において、信号フィールド２９００は、信号フィールド２９００を含むデータユニットに含まれるＬＴＦの数を示すＬＴＦ数サブフィールドをさらに含む。
【０１１４】
実施形態において、信号フィールド２９００は、信号フィールド２９００を含むデータユニットにデータが含まれるクライアント局２５のグループを示すグループＩＤサブフィールドを含む。さらに、ＳＴＡ‐ＩＤサブフィールド２９０２−１４ａは、グループＩＤサブフィールドにより示されるグループ内の特定のメンバを示す、より短い（例えば、４ビット）メンバＩＤサブフィールドにより置換えられる。実施形態において、メンバＩＤサブフィールドは信号フィールド２９００の対応する割当毎サブフィールド２９０２−１４に含まれる。別の実施形態において、メンバＩＤサブフィールドは、信号フィールド２９５０の対応する割当毎サブフィールド２９５２に含まれる対応する割当毎サブフィールドに含まれる。代わりに、別の実施形態において、信号フィールド２９００は、グループＩＤサブフィールドと、グループＩＤサブフィールドにより示されるグループのメンバに対応する割当毎サブフィールドの順序を示すメンバ順序サブフィールドとを含む。さらに別の実施形態において、信号フィールド２９００内のメンバ順序サブフィールドは、グループ内のどのクライアント局が信号フィールド２９００を含むデータユニット内のデータを受信するようスケジューリングされるかを示すスケジューリング済み局サブフィールドのリストにより置換えられる。そのような実施形態において、クライアント局が信号フィールド２９００、２９５０内のパラメータの順序に基づいて又はスケジューリング済み局のリストに基づいてそれらのパラメータを決定できるので、ＳＴＡ‐ＩＤサブフィールド２９０２−１４ａは、信号フィールド２９００から省略され、かつ、信号フィールド２９５０に含まれない。
【０１１５】
図３０は、実施形態に係るデータユニットを処理するための例示的な方法３０００のフロー図である。図１を参照すると、実施形態において、方法３０００はネットワークインタフェースデバイス１６により実装される。例えば、そのような一実施形態において、ＰＨＹ処理ユニット２０は方法３０００を実装するように構成される。別の実施形態によれば、ＭＡＣ処理１８はまた、方法３０００の少なくとも一部を実装するように構成される。引き続き図１を参照すると、さらに別の実施形態において、方法３０００は、ネットワークインタフェースデバイス２７（例えば、ＰＨＹ処理ユニット２９及び／又はＭＡＣ処理ユニット２８）により実装される。他の実施形態において、方法３０００は他の好適なネットワークインタフェースデバイスにより実装される。
【０１１６】
ブロック３００２において、ＰＨＹデータユニットに含まれる第１信号フィールドが生成される。第１信号フィールドは、第１信号フィールドコンテンツの複数のコピーを含むように生成され、第１信号フィールドコンテンツは、ＰＨＹデータユニットの複数のサブバンドのうちの１つのサブバンドに広がり、第１信号フィールドコンテンツの複数のコピーは、ＰＨＹデータユニットの複数のサブバンドに集合的に広がる。例として、図２を参照すると、実施形態において、ＨＥ‐ＳＩＧ‐Ａ２１０が生成される。別の例として、図３を参照すると、別の実施形態において、ＨＥ‐ＳＩＧ‐Ａ３１０が生成される。これらの実施形態において、第１信号フィールドコンテンツは、データユニットの４つのサブバンドのうちの１つに広がり、第１信号フィールドは、ＰＨＹデータユニットの４つのサブバンドに集合的に広がる信号フィールドの４つのコピーを含むように生成される。他の実施形態において、他の好適な信号フィールドが生成される。
【０１１７】
ブロック３００４において、ＰＨＹデータユニットに含まれる第２信号フィールドが生成される。第２信号フィールドは、第２信号フィールドコンテンツの複数のコピーを含むように生成され、第２信号フィールドコンテンツは、ＰＨＹデータユニットの複数のサブバンドのうちの複数のものに広がり、第２信号フィールドコンテンツの複数のコピーは、ＰＨＹデータユニットの複数のサブバンドに集合的に広がる。例として、図２を参照すると、実施形態において、ＨＥ‐ＳＩＧ‐Ｂ２１２が生成される。この実施形態において、第２信号フィールドコンテンツは、ＨＥ‐ＳＩＧ‐Ｂ２１２の２つのコピーのうちの１つのコピーについてのコンテンツを含む。別の例として、図３を参照すると、別の実施形態において、ＨＥ‐ＳＩＧ‐Ｂ３１２が生成される。この実施形態において、第２信号フィールドコンテンツは、ＨＥ‐ＳＩＧ‐Ｂ１  ３１２ａの１つのコピーのコンテンツ及びＨＥ‐ＳＩＧ‐Ｂ２  ３１２ｂの１つのコピーのコンテンツを含む。これらの実施形態において、第２信号フィールドコンテンツは、ＰＨＹデータユニットの４つのサブバンドのうちの２つのサブバンドに広がり、第２信号フィールドは、ＰＨＹデータユニットの４つのサブバンドに集合的に広がる第２信号フィールドコンテンツの２つのコピーを含むように生成される。他の実施形態において、第２信号フィールドコンテンツは、２つのサブバンド以外の複数のサブバンドに広がり、及び／又は、図２のＨＥ‐ＳＩＧ‐Ｂ２１２又は図３のＨＥ‐ＳＩＧ‐Ｂ３１２以外の好適な信号フィールドが生成される。
【０１１８】
ブロック３００６において、少なくともブロック３００２で生成された第１信号フィールド及びブロック３００４で生成された第２信号フィールドを含むように、データユニットのプリアンブルが生成される。実施形態において、プリアンブルは、第１信号フィールドの直後に第２信号フィールドが伝送されるように生成される。いくつかの実施形態において、プリアンブルは、１又は複数のトレーニングフィールドをさらに含むように生成される。プリアンブルは、第１信号フィールド及び第２信号フィールドが１又は複数のトレーニングフィールドの前に伝送されるように生成される。他の実施形態において、プリアンブルは、他の好適な態様で生成される。
【０１１９】
ブロック３００８において、少なくともブロック３００６で生成されたプリアンブルを含むように、データユニットが生成される。
【０１２０】
実施形態において、通信チャネルを介した伝送のために物理層（ＰＨＹ）データユニットを生成するための方法は、第１信号フィールドコンテンツの複数のコピーを含むように第１信号フィールドを生成する段階を含み、第１信号フィールドコンテンツは、ＰＨＹデータユニットの複数のサブバンドのうちの１つのサブバンドに広がり、複数のコピーは、ＰＨＹデータユニットの複数のサブバンドに集合的に広がる。方法はまた、第２信号フィールドコンテンツの複数のコピーを含むように第２信号フィールドを生成する段階を含み、第２信号フィールドコンテンツは、ＰＨＹデータユニットの複数のサブバンドのうちの複数のものに広がり、第２信号フィールドの複数のコピーは、ＰＨＹデータユニットの複数のサブバンドに集合的に広がる。方法は、少なくとも第１信号フィールド及び第２信号フィールドを含むようにＰＨＹデータユニットのプリアンブルを生成する段階と、少なくともプリアンブルを含むようにＰＨＹデータユニットを生成する段階とをさらに含む。
【０１２１】
他の実施形態において、方法は、以下の特徴のうちの１又は複数の任意の好適な組み合わせを含む。
【０１２２】
第２信号フィールドコンテンツはＰＨＹデータユニットの２つのサブバンドに広がる。
【０１２３】
第１信号フィールド及び第２信号フィールドを含むようにプリアンブルを生成する段階は、第１信号フィールドの直後に第２信号フィールドが伝送されるようにプリアンブルを生成する段階を有する。
【０１２４】
方法は、ＰＨＹデータユニットに含まれる１又は複数のトレーニングフィールドを生成する段階をさらに備え、プリアンブルを生成する段階は、１又は複数のトレーニングフィールドをさらに含むようにプリアンブルを生成する段階であって、１又は複数のトレーニングフィールドの前に第１信号フィールド及び第２信号フィールドが伝送されるようにプリアンブルを生成する段階を含む、段階を有する。
【０１２５】
方法は、ＰＨＹデータユニットを１又は複数の通信デバイスに伝送させる段階をさらに備える。
【０１２６】
方法は、第２信号フィールドを生成した後、かつ、ＰＨＹデータユニットを１又は複数の通信デバイスに伝送させる前に、第２信号フィールドコンテンツのパンクチャリングされる部分が１又は複数の通信デバイスに伝送されないように、第２信号フィールドコンテンツの複数のコピーのうち少なくとも１つの少なくとも一部分をパンクチャリングする段階をさらに備える。
【０１２７】
ＰＨＹデータユニットを生成する段階は、ＰＨＹデータユニットのデータ部分のそれぞれの周波数部分を用いて複数の通信デバイスに伝送されるデータを含む直交周波数分割多重多元接続（ＯＦＤＭＡ）データユニットを生成する段階を備える。
【０１２８】
第２信号フィールドコンテンツは情報ビットのセットを含み、情報ビットのセットは、（ｉ）複数の通信デバイスに共通する情報を有する共通ブロックの情報ビット及び（ｉｉ）複数の通信デバイスのそれぞれのものに関する情報をそれぞれが有する複数のユーザブロックの情報ビットを含む。
【０１２９】
方法は、１又は複数のバイナリ畳み込み符号（ＢＣＣ）エンコーダを用いて情報ビットのセットをエンコードする段階であって、第１ＢＣＣブロックとして共通ブロックの情報ビットをエンコードする段階を含む、段階と、それぞれの第２ＢＣＣブロックとしてユーザブロックのそれぞれのグループの情報ビットをエンコードする段階とをさらに備え、ユーザブロックの各グループは、複数のユーザブロック内の１つのユーザブロックより多く、複数のユーザブロック内の全てのユーザブロックより少ない数のユーザブロックを含む。
【０１３０】
ユーザブロックのそれぞれのグループをエンコードする段階は、ユーザブロックの最後のグループをエンコードする段階を含み、ユーザブロックの最後のグループは、前のいずれのユーザブロックのグループより少ない数のユーザブロックを含む。
【０１３１】
方法は、情報ビット及びパディングビットが、１又は複数のＢＣＣエンコーダによりエンコードされた後に整数個のＯＦＤＭシンボルを埋めるように、情報ビットのセットに付加されるパディングビットの数を決定する段階をさらに備える。
【０１３２】
方法は、情報ビットのセットをエンコードする段階の前に、決定された数のパディングビットを情報ビットのセットに付加する段階をさらに備える。
【０１３３】
別の実施形態において、装置は、１又は複数の集積回路を有するネットワークインタフェースデバイスを備え、１又は複数の集積回路は、第１信号フィールドコンテンツの複数のコピーを含むように第１信号フィールドを生成するように構成され、第１信号フィールドコンテンツは、ＰＨＹデータユニットの複数のサブバンドのうちの１つのサブバンドに広がり、複数のコピーは、ＰＨＹデータユニットの複数のサブバンドに集合的に広がる。１又は複数の集積回路はまた、第２信号フィールドコンテンツの複数のコピーを含むように第２信号フィールドを生成するように構成され、第２信号フィールドコンテンツは、ＰＨＹデータユニットの複数のサブバンドのうちの複数のものに広がり、第２信号フィールドの複数のコピーは、ＰＨＹデータユニットの複数のサブバンドに集合的に広がる。１又は複数の集積回路は、少なくとも第１信号フィールド及び第２信号フィールドを含むようにＰＨＹデータユニットのプリアンブルを生成し、少なくともプリアンブルを含むようにＰＨＹデータユニットを生成するようにさらに構成される。
【０１３４】
他の実施形態において、装置は、以下の特徴のうちの１又は複数の任意の好適な組み合わせを備える。
【０１３５】
第２信号フィールドコンテンツはＰＨＹデータユニットの２つのサブバンドに広がる。
【０１３６】
１又は複数の集積回路は、第１信号フィールドの直後に第２信号フィールドが伝送されるようにプリアンブルを生成するように構成される。
【０１３７】
１又は複数の集積回路は、ＰＨＹデータユニットに含まれる１又は複数のトレーニングフィールドを生成するようにさらに構成される。
【０１３８】
１又は複数の集積回路は、１又は複数のトレーニングフィールドをさらに含むようにプリアンブルを生成するようにさらに構成され、プリアンブルは、１又は複数のトレーニングフィールドの前に第１信号フィールド及び第２信号フィールドが伝送されるように生成される。
【０１３９】
１又は複数の集積回路は、ＰＨＹデータユニットを１又は複数の通信デバイスに伝送させるようにさらに構成される。
【０１４０】
１又は複数の集積回路は、第２信号フィールドを生成した後、かつ、ＰＨＹデータユニットを１又は複数の通信デバイスに伝送させる前に、第２信号フィールドコンテンツのパンクチャリングされる部分が１又は複数の通信デバイスに伝送されないように、第２信号フィールドコンテンツの複数のコピーのうち少なくとも１つの少なくとも一部分をパンクチャリングするようにさらに構成される。
【０１４１】
ＰＨＹデータユニットは、ＰＨＹデータユニットのデータ部分内のそれぞれのリソースユニットを用いて複数の通信デバイスに伝送されるデータを含む直交周波数分割多重多元接続（ＯＦＤＭＡ）データユニットである。
【０１４２】
第２信号フィールドコンテンツは、（ｉ）複数の通信デバイスに共通する情報を有する共通ブロックの情報ビット及び（ｉｉ）複数の通信デバイスのうち、それぞれのものに関する情報をそれぞれが有する複数のユーザブロックの情報ビットを含む情報ビットのセットを含む。
【０１４３】
１又は複数の集積回路は、情報ビットのセットをエンコードするようにさらに構成され、エンコードすることは、第１ＢＣＣブロックとして共通ブロックの情報ビットをエンコードすることと、それぞれの第２ＢＣＣブロックとしてユーザブロックのそれぞれのグループの情報ビットをエンコードすることとを含み、ユーザブロックの各グループは、複数のユーザブロック内の１つのユーザブロックより多く、かつ、複数のユーザブロック内の全てのユーザブロックより少ない数のユーザブロックを含む。
【０１４４】
１又は複数の集積回路は、ユーザブロックの最後のグループをエンコードするように構成され、ユーザブロックの最後のグループは、前のいずれのユーザブロックのグループより少ない数のユーザブロックを含む。
【０１４５】
１又は複数の集積回路は、情報ビット及びパディングビットが、１又は複数のＢＣＣエンコーダによりエンコードされた後に整数個のＯＦＤＭシンボルを埋めるように情報ビットのセットに付加されるパディングビットの数を決定するようにさらに構成される。
【０１４６】
１又は複数の集積回路は、情報ビットのセットをエンコードする前に、決定された数のパディングビットを情報ビットのセットに付加するようにさらに構成される。
【０１４７】
上述した様々なブロック、オペレーション及び技術の少なくともいくつかは、ハードウェア、ファームウェア命令を実行するプロセッサ、ソフトウェア命令を実行するプロセッサ、又はそれらの任意の組み合わせを利用して実装され得る。ソフトウェア命令若しくはファームウェア命令を実行するプロセッサを利用して実装される場合、ソフトウェア命令若しくはファームウェア命令は、磁気ディスク、光学ディスク、又は他の記憶媒体のような任意のコンピュータ可読メモリに、ＲＡＭ若しくはＲＯＭ又はフラッシュメモリ、プロセッサ、ハードディスクドライブ、光ディスクドライブ、テープドライブ等に格納され得る。同様に、ソフトウェア命令若しくはファームウェア命令は、例えば、コンピュータ可読ディスク又は他の可搬式コンピュータ記憶メカニズムを含む任意の既知又は所望の配信方法を介して、又は通信媒体を介して、ユーザ又はシステムに配信され得る。通信媒体は通常、コンピュータ可読命令、データ構造、プログラムモジュール又は他のデータを搬送波又は他の搬送メカニズムのような変調データ信号に統合する。「変調データ信号」という用語は、信号内の情報をエンコードするような態様で設定又は変更されたその特性のうちの１又は複数を有する信号を意味する。限定ではなく例として、通信媒体は、有線ネットワーク又は直接有線接続のような有線媒体、並びに、音響、無線周波数、赤外線、及び他の無線媒体のような無線媒体を含む。従って、ソフトウェア命令若しくはファームウェア命令は、電話回線、ＤＳＬ回線、ケーブルテレビ回線、光ファイバ回線、無線通信チャネル、インターネット等のような通信チャネルを介してユーザ又はシステムに配信され得る（これらは、可搬式記憶媒体を介してそのようなソフトウェアを提供することと同じである、又は互換性があるとみなされる）。ソフトウェア命令若しくはファームウェア命令は、プロセッサにより実行されるときに、プロセッサに様々な行為を実行させる機械可読命令を含みうる。
【０１４８】
ハードウェアに実装されるとき、ハードウェアは、ディスクリートコンポーネント、集積回路、特定用途向け集積回路（ＡＳＩＣ）等のうちの１又は複数を備え得る。
【０１４９】
本発明は、例示することのみを意図したものであり発明を限定するものではない複数の特定の例に関して説明されてきたが、発明の範囲から逸脱することなく開示された実施形態に対して変更、追加及び／又は削除が行われてよい。
【図１】
0006459015.tif 000009
【図２】
0006459015.tif 000010
【図３】
0006459015.tif 000011
【図４】
0006459015.tif 000012
【図５】
0006459015.tif 000013
【図６】
0006459015.tif 000014
【図７】
0006459015.tif 000015
【図８】
0006459015.tif 000016
【図９】
0006459015.tif 000017
【図１０】
0006459015.tif 000018
【図１１Ａ】
0006459015.tif 000019
【図１１Ｂ】
0006459015.tif 000020
【図１１Ｃ】
0006459015.tif 000021
【図１１Ｄ】
0006459015.tif 000022
【図１１Ｅ】
0006459015.tif 000023
【図１１Ｆ】
0006459015.tif 000024
【図１２】
0006459015.tif 000025
【図１３Ａ】
0006459015.tif 000026
【図１３Ｂ】
0006459015.tif 000027
【図１４】
0006459015.tif 000028
【図１５】
0006459015.tif 000029
【図１６Ａ】
0006459015.tif 000030
【図１６Ｂ】
0006459015.tif 000031
【図１６Ｃ】
0006459015.tif 000032
【図１６Ｄ】
0006459015.tif 000033
【図１７Ａ】
0006459015.tif 000034
【図１７Ｂ】
0006459015.tif 000035
【図１７Ｃ】
0006459015.tif 000036
【図１８Ａ】
0006459015.tif 000037
【図１８Ｂ】
0006459015.tif 000038
【図１８Ｃ】
0006459015.tif 000039
【図１９】
0006459015.tif 000040
【図２０】
0006459015.tif 000041
【図２１】
0006459015.tif 000042
【図２２】
0006459015.tif 000043
【図２３】
0006459015.tif 000044
【図２４】
0006459015.tif 000045
【図２５】
0006459015.tif 000046
【図２６】
0006459015.tif 000047
【図２７】
0006459015.tif 000048
【図２８】
0006459015.tif 000049
【図２９Ａ】
0006459015.tif 000050
【図２９Ｂ】
0006459015.tif 000051
【図３０】
0006459015.tif 000052